(57)【要約】【課題】無線通信システムにおいて、第１上りリンク搬送波が設定された端末が基地局から下りリンク制御情報を受信する方法に関する。【解決手段】上位階層により第２上りリンク搬送波の設定情報を受信する段階、基地局から第１上りリンク搬送波又は第２上りリンク搬送波による上りリンク信号の送信のための下りリンク制御情報を受信する段階、及び基地局に下りリンク制御情報に基づいて上りリンク信号を送信する段階を含み、下りリンク制御情報のパディングビットのうちの最後のビットは第１上りリンク搬送波又は第２上りリンク搬送波のうちのいずれか一つを指示する指示子情報であることを特徴とする。【選択図】図１１
2021503255.tif 000002
【特許請求の範囲】
【請求項１】
無線通信システムにおいて、第１上りリンク搬送波が設定された端末が基地局から下りリンク制御情報を受信する方法であって、
上位階層により第２上りリンク搬送波の設定情報を受信する段階と、
前記基地局から前記第１上りリンク搬送波又は前記第２上りリンク搬送波による上りリンク信号の送信のための前記下りリンク制御情報を受信する段階と、
前記基地局に前記下りリンク制御情報に基づいて前記上りリンク信号を送信する段階と、を含み、
前記下りリンク制御情報のパディングビットのうちの最後のビットは前記第１上りリンク搬送波及び前記第２上りリンク搬送波のうちのいずれか一つを指示する指示子情報であることを特徴とする、下りリンク制御情報の受信方法。
【請求項２】
前記第２上りリンク搬送波の副搬送波間隔は、
前記第１上りリンク搬送波の副搬送波間隔とは異なる、請求項１に記載の下りリンク制御情報の受信方法。
【請求項３】
前記第２上りリンク搬送波の設定情報を受信する段階は、
前記第２上りリンク搬送波による前記上りリンク信号を送信するか否かに関する設定情報を受信する段階を含む、請求項１に記載の下りリンク制御情報の受信方法。
【請求項４】
前記下りリンク制御情報は、
前記第２上りリンク搬送波による前記上りリンク信号の送信が可能であると設定された場合、前記指示子情報を含む、請求項３に記載の下りリンク制御情報の受信方法。
【請求項５】
無線通信システムにおいて、第１上りリンク搬送波が設定された端末であって、
メモリと、
前記メモリに連結されたプロセッサと、を含み、
前記プロセッサは、
基地局から上位階層により第２上りリンク搬送波の設定情報を受信し、前記基地局から前記第１上りリンク搬送波又は前記第２上りリンク搬送波による上りリンク信号の送信のための下りリンク制御情報を受信し、前記基地局に前記下りリンク制御情報に基づいて前記上りリンク信号を送信し、
前記下りリンク制御情報のパディングビットのうちの最後のビットは前記第１上りリンク搬送波及び前記第２上りリンク搬送波のうちのいずれか一つを指示する指示子情報であることを特徴とする、端末。
【請求項６】
前記第２上りリンク搬送波の副搬送波間隔は、
前記第１上りリンク搬送波の副搬送波間隔とは異なる、請求項５に記載の端末。
【請求項７】
前記プロセッサは、
前記第２上りリンク搬送波による前記上りリンク信号を送信するか否かに関する設定情報を受信する、請求項５に記載の端末。
【請求項８】
前記下りリンク制御情報は、
前記第２上りリンク搬送波による前記上りリンク信号の送信が可能であると設定された場合、前記指示子情報を含む、請求項７に記載の端末。
【請求項９】
無線通信システムにおいて、基地局が第１上りリンク搬送波が設定された端末に下りリンク制御情報を送信する方法であって、
上位階層により第２上りリンク搬送波の設定情報を送信する段階と、
前記端末に前記第１上りリンク搬送波又は前記第２上りリンク搬送波による上りリンク信号の送信のための前記下りリンク制御情報を送信する段階と、
前記下りリンク制御情報に基づく前記上りリンク信号を前記端末から受信する段階と、を含み、
前記下りリンク制御情報のパディングビットのうちの最後のビットは前記第１上りリンク搬送波及び前記第２上りリンク搬送波のうちのいずれか一つを指示する指示子情報であることを特徴とする、下りリンク制御情報の送信方法。
【請求項１０】
無線通信システムにおいて、第１上りリンク搬送波が設定された端末に下りリンク制御情報を送信する基地局であって、
メモリと、
前記メモリに連結されたプロセッサと、を含み、
前記プロセッサは、
上位階層により前記端末に第２上りリンク搬送波の設定情報を送信し、前記端末に前記第１上りリンク搬送波又は前記第２上りリンク搬送波による上りリンク信号の送信のための前記下りリンク制御情報を送信し、前記下りリンク制御情報に基づく前記上りリンク信号を前記端末から受信し、
前記下りリンク制御情報のパディングビットのうちの最後のビットは前記第１上りリンク搬送波及び前記第２上りリンク搬送波のうちのいずれか一つを指示する指示子情報であることを特徴とする、基地局。
【発明の詳細な説明】
【技術分野】
【０００１】
本発明は無線通信システムに関し、より詳しくは、次世代通信システムにおいて多重搬送波支援のための制御チャネル送信方法及びそのための装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ Ｍｏｂｉｌｅ ＢｒｏａｄＢａｎｄ(ｅＭＢＢ)／Ｕｌｔｒａ−Ｒｅｌｉａｂｉｌｉｔｙ ａｎｄ Ｌｏｗ−Ｌａｔｅｎｃｙ Ｃｏｍｍｕｎｉｃａｔｉｏｎ(ＵＲＬＬＣ)／Ｍａｓｓｉｖｅ Ｍａｃｈｉｎｅ−ｔｙｐｅ Ｃｏｍｍｕｎｉｃａｔｉｏｎｓ(ｍＭＴＣ)などに通信シナリオが区分される。
【０００３】
ここで、ｅＭＢＢはＨｉｇｈ Ｓｐｅｃｔｒｕｍ Ｅｆｆｉｃｉｅｎｃｙ、Ｈｉｇｈ Ｕｓｅｒ Ｅｘｐｅｒｉｅｎｃｅｄ Ｄａｔａ Ｒａｔｅ、Ｈｉｇｈ Ｐｅａｋ Ｄａｔａ Ｒａｔｅなどの特性を有する次世代移動通信シナリオであり、ＵＲＬＬＣはＵｌｔｒａ Ｒｅｌｉａｂｌｅ、Ｕｌｔｒａ Ｌｏｗ Ｌａｔｅｎｃｙ、Ｕｌｔｒａ Ｈｉｇｈ Ａｖａｉｌａｂｉｌｉｔｙなどの特性を有する次世代移動通信シナリオであり(ｅ.ｇ.，Ｖ２Ｘ、Ｅｍｅｒｇｅｎｃｙ Ｓｅｒｖｉｃｅ、Ｒｅｍｏｔｅ Ｃｏｎｔｒｏｌ)、ｍＭＴＣはＬｏｗ Ｃｏｓｔ、Ｌｏｗ Ｅｎｅｒｇｙ、Ｓｈｏｒｔ Ｐａｃｋｅｔ、Ｍａｓｓｉｖｅ Ｃｏｎｎｅｃｔｉｖｉｔｙの特性を有する次世代移動通信シナリオである(ｅ.ｇ.，ＩｏＴ)。
【発明の概要】
【発明が解決しようとする課題】
【０００４】
以下、上述した内容に基づいて、次世代通信システムにおいて多重搬送波支援のための制御チャネル送信方法及びそのための装置を提案する。
【課題を解決するための手段】
【０００５】
本発明の一態様である無線通信システムにおいて、第１上りリンク搬送波が設定された端末が基地局から下りリンク制御情報を受信する方法は、上位階層により第２上りリンク搬送波の設定情報を受信する段階、基地局から第１上りリンク搬送波又は第２上りリンク搬送波による上りリンク信号の送信のための下りリンク制御情報を受信する段階、及び基地局に下りリンク制御情報に基づいて上りリンク信号を送信する段階を含み、下りリンク制御情報のパディングビットのうちの最後のビットは第１上りリンク搬送波又は第２上りリンク搬送波のうちのいずれか一つを指示する指示子情報であることを特徴とする。
【０００６】
なお、本発明の一態様による無線通信システムにおいて、第１上りリンク搬送波が設定された端末は、メモリ、及びメモリに連結されたプロセッサを含み、プロセッサは、基地局から上位階層により第２上りリンク搬送波の設定情報を受信し、基地局から第１上りリンク搬送波又は第２上りリンク搬送波による上りリンク信号の送信のための下りリンク制御情報を受信し、基地局に下りリンク制御情報に基づいて上りリンク信号を送信し、下りリンク制御情報のパディングビットのうちの最後のビットは第１上りリンク搬送波又は第２上りリンク搬送波のうちのいずれか一つを指示する指示子情報であることを特徴とする。
【０００７】
好ましくは、第２上りリンク搬送波の副搬送波間隔は第１上りリンク搬送波の副搬送波間隔とは異なることを特徴とする。さらに端末は第２上りリンク搬送波による上りリンク信号を送信するか否かに関する設定情報を受信する過程を行い、この場合、下りリンク制御情報は第２上りリンク搬送波による上りリンク信号の送信が可能であると設定された場合、指示子情報を含むことを特徴とする。
【０００８】
一方、本発明の他の態様である無線通信システムにおいて、基地局が第１上りリンク搬送波が設定された端末に下りリンク制御情報を送信する方法は、上位階層により第２上りリンク搬送波の設定情報を送信する段階、端末に第１上りリンク搬送波又は第２上りリンク搬送波による上りリンク信号の送信のための下りリンク制御情報を送信する段階、及び下りリンク制御情報に基づく上りリンク信号を端末から受信する段階を含み、下りリンク制御情報のパディングビットのうちの最後のビットは第１上りリンク搬送波又は第２上りリンク搬送波のうちのいずれか一つを指示する指示子情報であることを特徴とする。
【０００９】
また本発明の他の態様である無線通信システムにおいて、第１上りリンク搬送波が設定された端末に下りリンク制御情報を送信する基地局は、メモリ、及びメモリに連結されたプロセッサを含み、プロセッサは、上位階層により端末に第２上りリンク搬送波の設定情報を送信し、端末に第１上りリンク搬送波又は第２上りリンク搬送波による上りリンク信号の送信のための下りリンク制御情報を送信し、下りリンク制御情報に基づく上りリンク信号を端末から受信し、下りリンク制御情報のパディングビットのうちの最後のビットは第１上りリンク搬送波又は第２上りリンク搬送波のうちのいずれか一つを指示する指示子情報であることを特徴とする。
【発明の効果】
【００１０】
本発明の実施例によれば、次世代通信システムにおいて多重搬送波支援のための制御チャネルをより効率的に送信することができる。
【００１１】
本発明で得られる効果は以上に言及した効果に制限されず、言及しなかった他の効果は下記の記載から本発明が属する当該技術分野における当業者に明確に理解されるであろう。
【図面の簡単な説明】
【００１２】
【図１】３ＧＰＰ無線接続網の規格に基づく端末とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及び使用者平面(Ｕｓｅｒ Ｐｌａｎｅ)構造を示す図である。
【図２】３ＧＰＰシステムに用いられる物理チャネル及びこれらを用いた一般的な信号送信方法を説明する図である。
【図３】ＬＴＥシステムにおいて下りリンク制御チャネルを構成する時に使用されるリソース単位を示す図である。
【図４】ＮＲシステムで使用される無線フレーム及びスロットの構造を説明する図である。
【図５】ＮＲシステムで使用される無線フレーム及びスロットの構造を説明する図である。
【図６】ＮＲシステムで使用される無線フレーム及びスロットの構造を説明する図である。
【図７】送受信器ユニット(ｔｒａｎｓｃｅｉｖｅｒ ｕｎｉｔ、ＴＸＲＵ)及び物理的アンテナの観点でハイブリッドビーム形成構造を抽象的に示した図である。
【図８】下りリンクの伝送過程において同期信号とシステム情報に関するビームスイーピング(Ｂｅａｍ Ｓｗｅｅｐｉｎｇ)動作を示す図である。
【図９】新しい無線接続技術(ｎｅｗ ｒａｄｉｏ Ａｃｃｅｓｓ ｔｅｃｈｎｏｌｏｇｙ、ＮＲ)システムのセルを例示する図である。
【図１０】本発明の実施例によってフォールバックＤＣＩにＳＵＬ ＣＩＦを追加した例を示す図である。
【図１１】本発明の実施例によってフォールバックＤＣＩにＳＵＬ ＣＩＦを追加した例を示す図である。
【図１２】３ＧＰＰにて定義している上りリンクフレームと下りリンクフレームの間のタイミングを示す図である。
【図１３】本発明を行う無線装置の構成要素を示すブロック図である。
【発明を実施するための形態】
【００１３】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００１４】
この明細書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００１５】
また、この明細書では、基地局の名称がＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継器(ｒｅｌａｙ)などの包括的な用語で使用されている。
【００１６】
３ＧＰＰ基盤の通信標準は、上位階層から生じる情報を運ぶリソース要素に対応する下りリンク物理チャネルと、物理階層によって用いられるが、上位階層から生じる情報を搬送しないリソース要素に対応する下りリンク物理信号を定義する。例えば、物理下りリンク共有チャネル(ｐｈｙｓｉｃａｌ ｄｏｗｎｌｉｎｋ ｓｈａｒｅｄ ｃｈａｎｎｅｌ、ＰＤＳＣＨ)、物理ブロードキャストチャネル(ｐｈｙｓｉｃａｌ ｂｒｏａｄｃａｓｔ ｃｈａｎｎｅｌ、ＰＢＣＨ)、物理マルチキャストチャネル(ｐｈｙｓｉｃａｌ ｍｕｌｔｉｃａｓｔ ｃｈａｎｎｅｌ、ＰＭＣＨ)、物理制御フォーマット指示子チャネル(ｐｈｙｓｉｃａｌ ｃｏｎｔｒｏｌ ｆｏｒｍａｔ ｉｎｄｉｃａｔｏｒ ｃｈａｎｎｅｌ、ＰＣＦＩＣＨ)、物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)及び物理ハイブリッドＡＲＱ指示子チャネル(ｐｈｙｓｉｃａｌ ｈｙｂｒｉｄ ＡＲＱ ｉｎｄｉｃａｔｏｒ ｃｈａｎｎｅｌ、ＰＨＩＣＨ)が下りリンク物理チャネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ、ＲＳ)は、ｇＮＢとＵＥが互いに知っている既に定義された特別な波形の信号を意味するが、例えば、セル特定的ＲＳ(ｃｅｌｌ ｓｐｅｃｉｆｉｃ ＲＳ)、ＵＥ−特定的ＲＳ(ＵＥ−ｓｐｅｃｉｆｉｃ ＲＳ、ＵＥ−ＲＳ)、ポジショニングＲＳ(ｐｏｓｉｔｉｏｎｉｎｇ ＲＳ、ＰＲＳ)及びチャネル状態情報ＲＳ(ｃｈａｎｎｅｌ ｓｔａｔｅ ｉｎｆｏｒｍａｔｉｏｎ ＲＳ、ＣＳＩ−ＲＳ)が下りリンク参照信号として定義される。３ＧＰＰ ＬＴＥ／ＬＴＥ−Ａ標準は、上位階層から生じる情報を搬送するリソース要素に対応する上りリンク物理チャネルと、物理階層によって用いられるが、上位階層から生じる情報を搬送しないリソース要素に対応する上りリンク物理信号を定義している。例えば、物理上りリンク共有チャネル(ｐｈｙｓｉｃａｌ ｕｐｌｉｎｋ ｓｈａｒｅｄ ｃｈａｎｎｅｌ、ＰＵＳＣＨ)、物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)、物理任意接続チャネル(ｐｈｙｓｉｃａｌ ｒａｎｄｏｍ ａｃｃｅｓｓ ｃｈａｎｎｅｌ、ＰＲＡＣＨ)が上りリンク物理チャネルとして定義され、上りリンク制御／データ信号のための復調参照信号(ｄｅｍｏｄｕｌａｔｉｏｎ ｒｅｆｅｒｅｎｃｅ ｓｉｇｎａｌ、ＤＭＲＳ)と上りリンクチャネル測定に用いられるサウンディング参照信号(ｓｏｕｎｄｉｎｇ ｒｅｆｅｒｅｎｃｅ ｓｉｇｎａｌ、ＳＲＳ)が定義される。
【００１７】
本発明で、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ((Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを搬送する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(ｒｅｓｏｕｒｃｅ ｅｌｅｍｅｎｔ、ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いは、を通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いは、を通じて、下りリンクデータ／制御情報を送信することと同じ意味で使われる。
【００１８】
以下では、ＣＲＳ／ＤＭＲＳ／ＣＳＩ−ＲＳ／ＳＲＳ／ＵＥ−ＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ(ｔｒａｃｋｉｎｇ ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ ＲＥと称する。また、ＴＲＳ送信のために設定されたサブフレームを、ＴＲＳサブフレームと称する。また、ブロードキャスト信号が送信されるサブフレームを、ブロードキャストサブフレーム或いはＰＢＣＨサブフレームと称し、同期信号(例えば、ＰＳＳ及び／又はＳＳＳ)が送信されるサブフレームを、同期信号サブフレーム或いはＰＳＳ／ＳＳＳサブフレームと称する。ＰＳＳ／ＳＳＳが割り当てられた或いは設定されたＯＦＤＭシンボル／副搬送波／ＲＥをそれぞれ、ＰＳＳ／ＳＳＳシンボル／副搬送波／ＲＥと称する。
【００１９】
本発明で、ＣＲＳポート、ＵＥ−ＲＳポート、ＣＳＩ−ＲＳポート、ＴＲＳポートとは、それぞれ、ＣＲＳを送信するように設定されたアンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定されたアンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００２０】
図１は３ＧＰＰ無線接続網の規格に基づく端末とＥ−ＵＴＲＡＮの間の無線インターフェースプロトコルの制御平面(ｃｏｎｔｒｏｌ ｐｌａｎｅ)及び使用者平面(ｕｓｅｒ ｐｌａｎｅ)の構造を示す図である。制御平面は端末(Ｕｓｅｒ Ｅｑｕｉｐｍｅｎｔ；ＵＥ)とネットワークが信号を管理するために用いる制御メッセージが送信される通路を意味する。使用者平面はアプリケーション階層で生成されたデータ、例えば、音声データ又はインターネットパケットデータなどが送信される通路を意味する。
【００２１】
第１の階層である物理階層は、物理チャネル(Ｐｈｙｓｉｃａｌ Ｃｈａｎｎｅｌ)を用いて上位階層に情報送信サービス(Ｉｎｆｏｒｍａｔｉｏｎ Ｔｒａｎｓｆｅｒ Ｓｅｒｖｉｃｅ)を提供する。物理階層は上位にある媒体接続制御(Ｍｅｄｉｕｍ Ａｃｃｅｓｓ Ｃｏｎｔｒｏｌ)階層とは送信チャネル(Ｔｒａｎｓｐｏｒｔ Ｃｈａｎｎｅｌ)を介して連結される。この送信チャネルを介して媒体接続制御階層と物理階層の間でデータが移動する。送信側と受信側の物理階層の間では物理チャネルを介してデータが移動する。物理チャネルは時間と周波数を無線リソースとして活用する。具体的には、物理チャネルは、下りリンクにおいて、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいては、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００２２】
第２の階層である媒体接続制御(Ｍｅｄｉｕｍ Ａｃｃｅｓｓ Ｃｏｎｔｒｏｌ；ＭＡＣ)階層は、論理チャネル(Ｌｏｇｉｃａｌ Ｃｈａｎｎｅｌ)を介して上位階層である無線リンク制御(Ｒａｄｉｏ Ｌｉｎｋ Ｃｏｎｔｒｏｌ；ＲＬＣ)階層にサービスを提供する。第２の階層のＲＬＣ階層は信頼性のあるデータ送信を支援する。ＲＬＣ階層の機能はＭＡＣ内部の機能ブロックにより具現できる。第２の階層のＰＤＣＰ階層は帯域幅が狭い無線インターフェースにおいてＩＰｖ４或いはＩＰｖ６のようなＩＰパケットを効率的に送信するために不要な制御情報を減らすヘッダ圧縮(Ｈｅａｄｅｒ Ｃｏｍｐｒｅｓｓｉｏｎ)の機能を果たす。
【００２３】
第３の階層である最下部に位置する無線リソース制御(Ｒａｄｉｏ Ｒｅｓｏｕｒｃｅ Ｃｏｎｔｒｏｌ；ＲＲＣ)階層は、制御平面でのみ定義される。ＲＲＣ階層は無線ベアラ(Ｒａｄｉｏ Ｂｅａｒｅｒ)の設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)に関連して論理チャネル、送信チャネル及び物理チャネルの制御を担当する。無線ベアラは端末とネットワークの間のデータ伝達のために第２の階層により提供されるサービスを意味する。このために、端末とネットワークのＲＲＣ階層は互いにＲＲＣメッセージを交換する。端末とネットワークのＲＲＣ階層の間にＲＲＣ連結(ＲＲＣ Ｃｏｎｎｅｃｔｅｄ)がある場合、端末はＲＲＣ連結状態(Ｃｏｎｎｅｃｔｅｄ Ｍｏｄｅ)であり、そうではない場合はＲＲＣ休止状態(Ｉｄｌｅ Ｍｏｄｅ)である。ＲＲＣ階層の上位にあるＮＡＳ(Ｎｏｎ−Ａｃｃｅｓｓ Ｓｔｒａｔｕｍ)階層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００２４】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、使用者トラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージの場合、下りＳＣＨを介して送信され、又は特の下りＭＣＨ(Ｍｕｌｔｉｃａｓｔ Ｃｈａｎｎｅｌ)を介して送信されることができる。なお、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、使用者トラフィックや制御メッセージを送信する上りＳＣＨ(Ｓｈａｒｅｄ Ｃｈａｎｎｅｌ)がある。送信チャネルの上位にありかつ送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００２５】
図２は３ＧＰＰシステムに用いられる物理チャネル及びこれらを用いた一般的な信号送信方法を説明する図である。
【００２６】
端末は、電源がオンになったり新たにセルに進入した場合は、基地局と同期を合わせるなどの初期セル探索(Ｉｎｉｔｉａｌ ｃｅｌｌ ｓｅａｒｃｈ)作業を行う(Ｓ２０１)。このために、端末は基地局から主同期チャネル(Ｐｒｉｍａｒｙ Ｓｙｎｃｈｒｏｎｉｚａｔｉｏｎ Ｃｈａｎｎｅｌ；Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信することによって基地局と同期を合わせ、セルＩＤなどの情報を得ることができる。その後、端末は基地局から物理放送チャネル(Ｐｈｙｓｉｃａｌ Ｂｒｏａｄｃａｓｔ Ｃｈａｎｎｅｌ)を受信してセル内の放送情報を得ることができる。なお、端末は初期セル探索段階において下りリンク参照信号(Ｄｏｗｎｌｉｎｋ Ｒｅｆｅｒｅｎｃｅ Ｓｉｇｎａｌ；ＤＬ ＲＳ)を受信して下りリンクチャネル状態を確認することができる。
【００２７】
初期セル探索を終了した端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)及び該ＰＤＣＣＨに載せられた情報によって物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を得ることができる(Ｓ２０２)。
【００２８】
一方、基地局に最初に接続したか或いは信号伝送のための無線リソースがない場合は、端末は、基地局に対して任意接続過程(Ｒａｎｄｏｍ Ａｃｃｅｓｓ Ｐｒｏｃｅｄｕｒｅ；ＲＡＣＨ)を行うことができる(段階Ｓ２０３〜段階Ｓ２０６)。このために、端末は、物理任意接続チャネル(Ｐｈｙｓｉｃａｌ Ｒａｎｄｏｍ Ａｃｃｅｓｓ Ｃｈａｎｎｅｌ；ＰＲＡＣＨ)を介して特定シーケンスをプリアンブルとして伝送し(Ｓ２０３及びＳ２０５)、ＰＤＣＣＨ及び対応するＰＤＳＣＨを介してプリアンブルに対する応答メッセージを受信することができる(Ｓ２０４及びＳ２０６)。競争基盤のＲＡＣＨの場合、さらに衝突解決手順(Ｃｏｎｔｅｎｔｉｏｎ Ｒｅｓｏｌｕｔｉｏｎ Ｐｒｏｃｅｄｕｒｅ)を行うことができる。
【００２９】
上述した手順を行った端末は、その後、一般的な上り／下りリンク信号伝送の手順として、ＰＤＣＣＨ／ＰＤＳＣＨ受信(Ｓ２０７)及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)の送信を行う(Ｓ２０８)。特に、端末は、ＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報などの制御情報を含み、その使用目的に応じてフォーマットが互いに異なる。
【００３０】
一方、端末が上りリンクを通じて基地局に伝送したり、端末が基地局から受信したりする制御情報は、下り／上りリンクＡＣＫ／ＮＡＣＫ信号、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムの場合、端末は上述したＣＱＩ／ＰＭＩ／ＲＩなどの制御情報をＰＵＳＣＨ及び／又はＰＵＣＣＨを介して伝送することができる。
【００３１】
図３はＬＴＥシステムにおいて下りリンク制御チャネルを構成する時に使用されるリソース単位を示す。特に、図３(ａ)は基地局の送信アンテナの数が１又は２である場合を示し、図３の(ｂ)は基地局の送信アンテナの数が４である場合を示す。送信アンテナの数によってＲＳ(Ｒｅｆｅｒｅｎｃｅ Ｓｉｇｎａｌ)パターンが異なるだけであり、制御チャネルに関連するリソース単位の設定方法は同一である。
【００３２】
図３を参照すると、下りリンク制御チャネルの基本リソース単位はＲＥＧ(Ｒｅｓｏｕｒｃｅ Ｅｌｅｍｅｎｔ Ｇｒｏｕｐ)である。ＲＥＧはＲＳを除いた状態で４つの隣接するリソース要素(ＲＥ)で構成される。図においてＲＥＧは太い線で表示している。ＰＣＦＩＣＨ及びＰＨＩＣＨは各々４個のＲＥＧ及び３個のＲＥＧを含む。ＰＤＣＣＨはＣＣＥ(ｃｏｎｔｒｏｌ Ｃｈａｎｎｅｌ Ｅｌｅｍｅｎｔｓ)単位で構成され、１つのＣＣＥは９個のＲＥＧを含む。
【００３３】
端末は自分にＬ個のＣＣＥからなるＰＤＣＣＨが送信されるか否かを確認するために、
2021503255.tif 000003
の連続した又は特定の規則に配置されたＣＣＥを確認するように設定される。端末がＰＤＣＣＨ受信のために考えるＬ値は複数である。端末がＰＤＣＣＨ受信のために確認するＣＣＥ集合を検索領域(Ｓｅａｒｃｈ ｓｐａｃｅ)という。一例として、ＬＴＥシステムでは検索領域を表１のように定義している。
【００３４】
【表１】
2021503255.tif 000004
【００３５】
ここで、ＣＣＥ集成レベルＬはＰＤＣＣＨを構成するＣＣＥの数を示し、
2021503255.tif 000005
はＣＣＥ集成レベルＬの検索領域を示し、
2021503255.tif 000006
は集成レベルＬの検索領域でモニタリングするＰＤＣＣＨ候補の数である。
【００３６】
検索領域は、特定の端末のみに対して接近が許容される端末特定検索領域(ＵＥ−ｓｐｅｃｉｆｉｃ ｓｅａｒｃｈ ｓｐａｃｅ)と、セル内の全ての端末に対して接近が許容される共通検索領域(ｃｏｍｍｏｎ ｓｅａｒｃｈ ｓｐａｃｅ)とに区分される。端末はＣＣＥ集成レベルが４及び８である共通検索領域をモニタし、ＣＣＥ集成レベルが１、２、４及び８である端末特定検索領域をモニタする。共通検索領域及び端末特定検索領域はオーバーラップすることができる。
【００３７】
また各ＣＣＥ集成レベル値に対して任意の端末に与えられるＰＤＣＣＨ検索領域における１番目(最小インデックスを有する)のＣＣＥの位置は、端末によって毎サブフレームごとに変化する。これをＰＤＣＣＨ検索領域ハッシング(ｈａｓｈｉｎｇ)という。
【００３８】
ＣＣＥはシステム帯域に分散できる。より具体的には、論理的に連続する複数のＣＣＥがインターリーバ(ｉｎｔｅｒｌｅａｖｅｒ)に入力され、インターリーバは入力された複数のＣＣＥをＲＥＧ単位で取り混ぜる機能を行う。従って、１つのＣＣＥを構成する周波数／時間リソースは物理的にサブフレームの制御領域内で全体周波数／時間領域に散らばって分布する。結局、制御チャネルはＣＣＥ単位で構成されるが、インターリービングはＲＥＧ単位で行われることにより、周波数ダイバーシティ(ｄｉｖｅｒｓｉｔｙ)と干渉ランダム化(ｉｎｔｅｒｆｅｒｅｎｃｅ ｒａｎｄｏｍｉｚａｔｉｏｎ)の利得を最大化することができる。
【００３９】
図４はＮＲにおいて使用される無線フレームの構造を例示している。
【００４０】
ＮＲにおいて、上りリンク及び下りリンク送信はフレームで構成される。無線フレームは１０ｍｓの長さを有し、２つの５ｍｓハーフフレーム(Ｈａｌｆ−Ｆｒａｍｅ、ＨＦ)と定義される。ハーフフレームは５つの１ｍｓサブフレーム(Ｓｕｂｆｒａｍｅ、ＳＦ)と定義される。サブフレームは１つ以上のスロットに分割され、サブフレーム内のスロット数はＳＣＳ(Ｓｕｂｃａｒｒｉｅｒ Ｓｐａｃｉｎｇ)に依存する。各スロットはＣＰ(ｃｙｃｌｉｃ ｐｒｅｆｉｘ)によって１２つ又は１４つのＯＦＤＭ(Ａ)シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル(或いは、ＣＰ−ＯＦＤＭシンボル)、ＳＣ−ＦＤＭＡシンボル(或いは、ＤＦＴ−ｓ−ＯＦＤＭシンボル)を含むことができる。
【００４１】
表２は一般ＣＰが使用される場合、ＳＣＳによってスロットごとのシンボル数、フレームごとのスロット数とサブフレームごとのスロット数が変化することを例示している。
【００４２】
【表２】
2021503255.tif 000007
【００４３】
＊Ｎslotsymb:スロット内のシンボル数、
【００４４】
＊Ｎframe,uslot:フレーム内のスロット数
【００４５】
＊Ｎsubframe,uslot:サブフレーム内のスロット数
【００４６】
表３は拡張ＣＰが使用される場合、ＳＣＳによってスロットごとのシンボル数、フレームごとのスロット数とサブフレームごとのスロット数が変化することを例示している。
【００４７】
【表３】
2021503255.tif 000008
【００４８】
ＮＲシステムでは１つの端末に併合される複数のセル間でＯＦＤＭ(Ａ)ニューマロロジー(ｎｕｍｅｒｏｌｏｇｙ)(例えば、ＳＣＳ、ＣＰ長さなど)が異なるように設定されることができる。これにより、同じ数のシンボルで構成された時間リソース(例えば、ＳＦ、スロット又はＴＴＩ)(便宜上、ＴＵ(Ｔｉｍｅ Ｕｎｉｔ)と通称)の(絶対時間)区間が併合されたセル間で異なるように設定されることができる。
【００４９】
図５はＮＲフレームのスロット構造を例示している。スロットは時間ドメインで複数のシンボルを含む。例えば、一般ＣＰの場合、１つのスロットが７つのシンボルを含むが、拡張ＣＰの場合は、１つのスロットが６つのシンボルを含む。搬送波は周波数ドメインで複数の副搬送波を含む。ＲＢ(Ｒｅｓｏｕｒｃｅ Ｂｌｏｃｋ)は周波数ドメインで複数(例えば、１２)の連続する副搬送波と定義される。ＢＷＰは周波数ドメインで複数の連続する(Ｐ)ＲＢと定義され、１つのニューマロロジー(ｎｕｍｅｒｏｌｏｇｙ)(例えば、ＳＣＳ、ＣＰ長さなど)に対応することができる。搬送波は最大Ｎ個(例えば、５つ)のＢＷＰを含む。データ通信は活性化されたＢＷＰで行われ、１つの端末には１つのＢＷＰのみが活性化される。リソースグリッドにおいて各々の要素はリソース要素(Ｒｅｓｏｕｒｃｅ Ｅｌｅｍｅｎｔ、ＲＥ)と称され、１つの複素シンボルがマッピングされることができる。
【００５０】
図６は自己完結(Ｓｅｌｆ−ｃｏｎｔａｉｎｅｄ)スロットの構造を例示している。ＮＲシステムにおいて、フレームは１つのスロット内にＤＬ制御チャネル、ＤＬ又はＵＬデータ、ＵＬ制御チャネルなどを全て含むことができる自己完結構造を特徴とする。例えば、スロット内の最初のＮ個のシンボルは、ＤＬ制御チャネルを送信する時に使用され(以下、ＤＬ制御領域)、スロット内の最後のＭ個のシンボルはＵＬ制御チャネルを送信する時に使用される(以下、ＵＬ制御領域)。ＮとＭは各々０以上の整数である。ＤＬ制御領域とＵＬ制御領域の間におけるリソース領域(以下、データ領域)は、ＤＬデータ送信のために使用されるか、又はＵＬデータ送信のために使用される。一例として、以下の構成を考慮できる。各区間は時間順である。
【００５１】
１．ＤＬのみの構成
【００５２】
２．ＵＬのみの構成
【００５３】
３．混合ＵＬ−ＤＬの構成
【００５４】
−ＤＬ領域＋ＧＰ＋ＵＬ制御領域
【００５５】
−ＤＬ制御領域＋ＧＰ＋ＵＬ領域
【００５６】
＊ＤＬ領域:(i)ＤＬデータ領域、(ii)ＤＬ制御領域＋ＤＬデータ領域
【００５７】
＊ＵＬ領域:(i)ＵＬデータ領域、(ii)ＵＬデータ領域＋ＵＬ制御領域
【００５８】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ(Ｄｏｗｎｌｉｎｋ Ｃｏｎｔｒｏｌ Ｉｎｆｏｒｍａｔｉｏｎ)、例えば、ＤＬデータスケジューリング情報、ＵＬデータスケジューリング情報などが送信される。ＰＵＣＣＨではＵＣＩ(Ｕｐｌｉｎｋ Ｃｏｎｔｒｏｌ Ｉｎｆｏｒｍａｔｉｏｎ)、例えば、ＤＬデータに対するＡＣＫ／ＮＡＣＫ(Ｐｏｓｉｔｉｖｅ Ａｃｋｎｏｗｌｅｄｇｅｍｅｎｔ／Ｎｅｇａｔｉｖｅ Ａｃｋｎｏｗｌｅｄｇｅｍｅｎｔ)情報、ＣＳＩ(Ｃｈａｎｎｅｌ Ｓｔａｔｅ Ｉｎｆｏｒｍａｔｉｏｎ)情報、ＳＲ(Ｓｃｈｅｄｕｌｉｎｇ Ｒｅｑｕｅｓｔ)などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【００５９】
なお、ＮＲシステムは広い周波数帯域を用いて多数のユーザに高い送信率を維持しながらデータを送信するために高い超高周波帯域、即ち、６ＧＨｚ以上のミリメートル周波数帯域を用いる方案を考慮している。３ＧＰＰではこれをＮＲと称しており、以下本発明ではＮＲシステムと称する。しかし、ミリメートル周波数帯域は非常に高い周波数帯域を用いるため、距離による信号減殺が急激であるという周波数特性を有する。従って、少なくとも６ＧＨｚ以上の帯域を使用するＮＲシステムでは、急激な電波減殺特性を補償するために、信号送信を全方向ではなく特定の方向にエネルギーを集めて送信することにより、急激な電波減殺によるカバレッジ減少の問題を解決する狭ビーム(ｎａｒｒｏｗ ｂｅａｍ)送信技法を使用している。しかし、１つの狭ビームのみでサービスする場合、１つの基地局がサービスを提供する範囲が狭くなるので、基地局は多数の狭ビームを集めて広帯域にサービスを提供する。
【００６０】
ミリメートル周波数帯域、即ち、ミリメートル波長(ｍｉｌｌｉｍｅｔｅｒ ｗａｖｅ、ｍｍＷ)では波長が短くなって、同じ面積に多数のアンテナ要素を設けることが可能になる。例えば、１ｃｍ程度の波長を有する３０ＧＨｚ帯域においては５ｂｙ５ｃｍのパネルに０.５λ(波長)間隔で２次元配列形態で総１００個のアンテナ要素を設けることができる。よって、ｍｍＷでは、多数のアンテナ要素を使用してビームフォーミング利得を高めてカバレッジを増加させるか、或いは処理量(ｔｈｒｏｕｇｈｐｕｔ)を高めることが考えられる。
【００６１】
ミリメートル周波数帯域において狭ビームを形成する方法として、基地局やＵＥから多数のアンテナに適切な位相差を用いて同じ信号を送信することにより、特定の方向でのみエネルギーが高くなるビームフォーミング方式が主に考えられている。このようなビームフォーミング方式には、デジタル基底帯域(ｂａｓｅｂａｎｄ)信号に位相差を形成するデジタルビームフォーミング、変調されたアナログ信号に時間遅延(即ち、循環遷移)を用いて位相差を形成するアナログビームフォーミング、デジタルビームフォーミングとアナログビームフォーミングを全て利用するハイブリッドビームフォーミングなどがある。アンテナ要素ごとに送信パワー及び位相調節ができるようにトランシーバユニット(ｔｒａｎｓｃｅｉｖｅｒ ｕｎｉｔ、ＴＸＲＵ)を有すると、周波数リソースごとに独立したビームフォーミングが可能になる。しかし、１００余個の全てのアンテナ要素にＴＸＲＵを設けることは費用面で実効性が乏しい。即ち、ミリメートル周波数帯域は急激な電波減殺特性を補償するために多数のアンテナを使用する必要があり、デジタルビームフォーミングはアンテナ数ほどのＲＦコンポーネント(例えば、デジタルアナログコンバータ(ＤＡＣ)、ミキサー(ｍｉｘｅｒ)、電力増幅器(ｐｏｗｅｒ ａｍｐｌｉｆｉｅｒ)、線形増幅器(ｌｉｎｅａｒ ａｍｐｌｉｆｉｅｒ)など)を必要とするので、ミリメートル周波数帯域においてデジタルビームフォーミングを具現するためには通信機器の単価が上がる問題がある。従って、ミリメートル周波数帯域のようにアンテナが多く必要な場合には、アナログビームフォーミング又はハイブリッドビームフォーミング方式が考慮される。アナログビームフォーミング方式は、１つのＴＸＲＵに多数のアンテナ要素をマッピングし、アナログ位相遷移器(ａｎａｌｏｇ ｐｈａｓｅ ｓｈｉｆｔｅｒ)でビームの方向を調節する。かかるアナログビームフォーミング方式は全体帯域において１つのビーム方向のみを形成するので、周波数選択的ビームフォーミング(ｂｅａｍｆｏｒｍｉｎｇ、ＢＦ)ができない短所がある。ハイブリッドＢＦはデジタルＢＦとアナログＢＦの中間形態であって、Ｑ個のアンテナ要素より少ない数であるＢ個のＴＸＲＵを有する方式である。ハイブリッドＢＦの場合、Ｂ個のＴＸＲＵとＱ個のアンテナ要素の連結方式によって差はあるが、同時に送信可能なビームの方向はＢ個以下に制限される。
【００６２】
上述したように、デジタルビームフォーミングは、送信又は受信デジタルの基底帯域信号に対して信号処理を行うので、多重ビームを用いて同時に複数の方向に信号を送信又は受信できる反面、アナログビームフォーミングは、送信又は受信アナログ信号を変調した状態でビームフォーミングを行うので、１つのビームがカバーする範囲を超える複数の方向に信号を同時に送信又は受信することができない。通常、基地局は広帯域送信又は多重アンテナ特性を用いて同時に多数のユーザと通信を行うが、基地局がアナログ又はハイブリッドビームフォーミングを使用し、１つのビーム方向にアナログビームを形成する場合には、アナログビームフォーミングの特性上、同じアナログビーム方向内に含まれるユーザとのみ通信が可能である。後述する本発明によるＲＡＣＨリソース割り当て及び基地局のリソース活用方案は、アナログビームフォーミング又はハイブリッドビームフォーミングの特性により発生する制約事項を反映して提案される。
【００６３】
図７は送受信器ユニット(ｔｒａｎｓｃｅｉｖｅｒ ｕｎｉｔ、ＴＸＲＵ)及び物理的アンテナの観点でハイブリッドビーム形成の構造を抽象的に示す図である。
【００６４】
複数のアンテナが使用される場合、デジタルビーム形成及びアナログビーム形成を結合したハイブリッドビーム形成技法が考えられている。この時、アナログビーム形成(又はＲＦビーム形成)は、ＲＦユニットがプリコーディング(又は組み合わせ(ｃｏｍｂｉｎｉｎｇ))を行う動作を意味する。ハイブリッドビーム形成において、基底帯域(ｂａｓｅｂａｎｄ)ユニットとＲＦユニットは各々プリコーティング(又は組み合わせ)を行い、これによりＲＦチェーンの数とＤ／Ａ(又はＡ／Ｄ)コンバーターの数を減らしながらデジタルビーム形成に近接する性能を得られるという長所がある。説明の便宜上、ハイブリッドビーム形成の構造は、Ｎ個のＴＸＲＵとＭ個の物理的アンテナで表すことができる。この時、送信端から伝送するＬ個のデータレイヤに対するデジタルビーム形成は、Ｌ−ｂｙ−Ｌ行列で表され、その後、変換されたＮ個のデジタル信号はＴＸＲＵを介してアナログ信号に変換され、変換された信号に対してＭ−ｂｙ−Ｎ行列で表されるアナログビーム形成が適用される。
【００６５】
図７において、デジタルビームの数はＬであり、アナログビームの数はＮである。さらに、ＮＲシステムにおいては、アナログビーム形成をシンボル単位で変更できるように基地局を設計して、特定の地域に位置したＵＥに効率的なビーム形成を支援する方向が考えられている。また、Ｎ個のＴＸＲＵとＭ個のＲＦアンテナを１つのアンテナパネルと定義した時、ＮＲシステムにおいては、互いに独立したハイブリッドビーム形成が適用可能な複数のアンテナパネルを導入する方案も考えられている。以上のように基地局が複数のアナログビームを活用する場合、ＵＥごとに信号の受信に有利なアナログビームが異なるので、少なくとも同期信号、システム情報、ページング(ｐａｇｉｎｇ)などについては、特定のスロット又はサブフレームにおいて基地局が適用する複数のアナログビームをシンボルごとに変化させて全てのＵＥが受信機会を有するようにするビームスイーピング(ｂｅａｍ ｓｗｅｅｐｉｎｇ)動作が考えられている。
【００６６】
図８は下りリンクの伝送過程において同期信号とシステム情報に対するビームスイーピング(Ｂｅａｍ ｓｗｅｅｐｉｎｇ)動作を示す図である。
【００６７】
図８において、Ｎｅｗ ＲＡＴシステムのシステム情報が放送(Ｂｒｏａｄｃａｓｔｉｎｇ)される物理的リソース又は物理チャネルをｘＰＢＣＨ(ｐｈｙｓｉｃａｌ ｂｒｏａｄｃａｓｔ ｃｈａｎｎｅｌ)と称する。この時、１つのシンボル内において互いに異なるアンテナパネルに属するアナログビーム(Ａｎａｌｏｇ ｂｅａｍ)が同時に伝送されることができ、アナログビーム(Ａｎａｌｏｇ ｂｅａｍ)ごとにチャネルを測定するために、図８に示したように、特定のアンテナパネルに対応する単一のアナログビーム(Ａｎａｌｏｇ ｂｅａｍ)のために伝送される参照信号(Ｒｅｆｅｒｅｎｃｅ ｓｉｇｎａｌ；ＲＳ)であるＢｅａｍ ＲＳ(ＢＲＳ)を導入する方案が論議されている。ＢＲＳは複数のアンテナポートに対して定義することができ、ＢＲＳの各アンテナポートは単一のアナログビーム(Ａｎａｌｏｇ ｂｅａｍ)に対応することができる。この時、ＢＲＳとは異なり、同期信号(Ｓｙｎｃｈｒｏｎｉｚａｔｉｏｎ ｓｉｇｎａｌ)又はｘＰＢＣＨは、任意のＵＥがよく受信できるようにアナログビームグループ(Ａｎａｌｏｇ ｂｅａｍ Ｇｒｏｕｐ)に含まれた全てのアナログビーム(Ａｎａｌｏｇ ｂｅａｍ)のために伝送されることができる。
【００６８】
図９は新しい無線接続技術(ｎｅｗ ｒａｄｉｏ ａｃｃｅｓｓ ｔｅｃｈｎｏｌｏｇｙ、ＮＲ)システムのセルを例示する図である。
【００６９】
図９を参照すると、ＮＲシステムにおいて、既存のＬＴＥなどの無線通信システムに１つの基地局が１つのセルを形成したこととは異なり、複数のＴＲＰが１つのセルを構成する方案が論議されている。複数のＴＲＰが１つのセルを構成すると、ＵＥをサービスするＴＲＰが変わっても中断されず続けて通信が可能であり、ＵＥの移動性管理が容易である。
【００７０】
ＬＴＥ／ＬＴＥ−Ａシステムにおいて、ＰＳＳ／ＳＳＳは全−方位的(ｏｍｎｉ−ｄｉｒｅｃｔｉｏｎ)に伝送されることに反して、ｍｍＷａｖｅを適用するｇＮＢがビーム方向を全−方位的に変化しながらＰＳＳ／ＳＳＳ／ＰＢＣＨなどの信号をビーム形成して伝送する方法が考えられている。このようにビーム方向を変化しながら信号を伝送／受信することをビームスイーピング(ｂｅａｍ ｓｗｅｅｐｉｎｇ)又はビームスキャニングという。本発明において“ビームスイーピング’は伝送器側の行動であり、“ビームスキャニング”は受信器側の行動を示す。例えば、ｇＮＢが最大Ｎ個のビーム方向を有すると仮定すると、Ｎ個のビーム方向に対して各々ＰＳＳ／ＳＳＳ／ＰＢＣＨなどの信号を伝送する。即ち、ｇＮＢは自分が有し得る又は支援しようとする方向をスイーピングしながら各々の方向に対してＰＳＳ／ＳＳＳ／ＰＢＣＨなどの同期信号を伝送する。又はｇＮＢがＮ個のビームを形成できる場合、いくつずつのビームを集めて１つのビームグループを構成でき、ビームグループごとにＰＳＳ／ＳＳＳ／ＰＢＣＨを伝送／受信することができる。この時、１つのビームグループは１つ以上のビームを含む。同じ方向に伝送されるＰＳＳ／ＳＳＳ／ＰＢＣＨなどの信号が１つのＳＳブロックと定義されることができ、１つのセル内に複数のＳＳブロックが存在することができる。複数のＳＳブロックが存在する場合、各ＳＳブロックの区分のために、ＳＳブロックインデックスを使用できる。例えば、１つのシステムにおいて１０つのビーム方向にＰＳＳ／ＳＳＳ／ＰＢＣＨが伝送される場合、同方向へのＰＳＳ／ＳＳＳ／ＰＢＣＨが１つのＳＳブロックを構成することができ、該当システムでは１０つのＳＳブロックが存在すると理解できる。本発明において、ビームインデックスはＳＳブロックインデックスと解析できる。
【００７１】
本発明はＮＲ ＵＬにＵＬ帯域又は搬送波をさらに補充してＬＴＥ帯域から提供するＳＵＬ(ｓｕｐｐｌｅｍｅｎｔａｒｙ ＵＬ)に関する。特に、ＳＵＬはＮＲシステムとＬＴＥシステムの共存状況においてＮＲシステムのＵＬとＤＬのカバレッジ差を克服するために提供され、ＳＵＬはＬＴＥバンドで提供できるが、今後にはＮＲバンドでも提供する余地がある。本発明はＳＵＬに関して記載しているが、既存の搬送波集成技法が適用された状況では、２つのＵＬ搬送波間の交差搬送波スケジューリングが行われる場合にも適用可能である。
【００７２】
現在３ＧＰＰ ＮＲ標準化では、一つのＤＬ、一つのＵＬ及び一つのＳＵＬを各々一つのセルと思う。実際に、かかるセルは搬送波集成される形態であり、上位階層では区分されないこともできるが、少なくとも物理階層ではセル又は搬送波単位でＵＬとＳＵＬが互いに分離されている形態で動作することができる。ＰＵＣＣＨは２つのＵＬ(即ち、ＳＵＬとＵＬ)のうちのいずれかがＲＲＣシグナリングにより選択され、これを半−静的に(ｓｅｍｉ ｓｔａｔｉｃａｌｌｙ)使用しながら、ＰＵＳＣＨ送信ではＰＵＣＣＨのようなＵＬを使用する。さらにＲＲＣシグナリングにより設定されることは、ＰＵＳＣＨがＵＬとＵＬのうちのいずれか一つをＤＣＩにより動的に選択する部分である。このような構成は、ＳＵＬが設定された時、さらにＰＵＳＣＨ動的スイッチング(ｄｙｎａｍｉｃ ｓｗｉｔｃｈｉｎｇ)を適用するか否かを設定するためのものである。これは以下のような方式で定められる。以下、説明の便宜のために、搬送波とセルを同じ意味で使用する。
【００７３】
−端末の性能(ｃａｐａｂｉｌｉｔｙ)：端末がＳＵＬとＵＬを同時に送信に使用できるか否か、ＴＤＭ方式で動的にスイッチングできるか否か、半−静的方式でスイッチングできるか否かに関する端末の性能情報シグナリングが可能である。この時、端末の性能情報がＵＬ／ＳＵＬを同時に送信できるか否かに関するものであれば、端末の場合、動的ＴＤＭを支援すると仮定できる。半−静的なＰＵＳＣＨスイッチングのみを支援する場合は、スイッチング遅延を別に報告することができる。現在ＮＲ標準では、ＳＵＬとＵＬがインタ−バンド(ｉｎｔｅｒｂａｎｄ)である場合のみを定義しているので、ＳＵＬとＵＬが各々異なるＲＦを使用することが好ましく、この場合であれば、ＳＵＬを支援できるＵＥはＰＵＳＣＨ動的スイッチングが可能であると規定することができる。
【００７４】
−ネットワークの設定：ネットワークはかかる２つの搬送波を送信するか否かを設定することができ、これはＣＩＦを設定することで決定される。ＣＩＦにより２つの搬送波を送信するか否かを設定する時、セルインデックスは７などの固定値を使用するか、又は該当ＵＬセルのインデックス＋１に設定される。ＣＩＦとセルインデックスのマッピングではＤＬ搬送波とＵＬ搬送波が別々に使用されることもできる。
【００７５】
アンペア(ｕｎｐａｉｒｅｄ)の搬送波である場合、一つのセルＩＤを使用すると仮定する。ＰＵＣＣＨが送信されるＵＬ搬送波をＤＬ搬送にペアになった(ｐａｉｒｅｄ)搬送波であると仮定する。もしＰＵＣＣＨがＵＬ／ＳＵＬのいずれにもない場合は(例えば、ＳＣｅｌｌ)、ＤＬ搬送波にペアになった(ｐａｉｒｅｄ)ＵＬ搬送波をメインＵＬ搬送波であると判断する。ＰＣｅｌｌの場合、或いはＰＵＣＣＨグループのプライマリーセルの場合、メインＵＬ搬送波或いはＰＵＣＣＨ搬送波はＣＩＦなしにＵＬグラントを得ると仮定することができる。これは、ＲＲＣシグナリングによりＰＵＣＣＨ搬送波を変更する時、ＣＩＦがないＵＬ搬送波が変更されることを意味することができ、フォールバック動作時に問題が発生することができる。
【００７６】
フォールバック動作をなくすためには、ＰＵＣＣＨ搬送波とは関係なく、ＵＬとＳＵＬのうち、ＵＬでは常にＣＩＦなしにＵＬグラントを受けると仮定し、ＳＵＬではＣＩＦが含まれたＵＬグラントを受けると仮定することができる。この時、ＣＩＦの設定では、既存のＣＡと衝突しないようにＳＵＬのためのインデックスを含むことができる。従って、ＰＵＣＣＨ搬送波の変更時、フォールバック指示に物理的セルインデックスを含めてＵＬグラント或いはＰＵＣＣＨリソースを指示することができる。
【００７７】
−端末の性能報告には、ＵＬ／ＳＵＬのスイッチング遅延情報、例えば、０ｕｓ、Ｘｕｓ、Ｙｍｓｅｃなどの情報が含まれる。該当性能が０ｕｓに該当することは、ＵＬ／ＳＵＬの同時送信できる性能が保障されることを意味する。
【００７８】
−端末のＵＬ／ＳＵＬの同時送信性能はＵＬ ＣＡ性能と同一に取り扱われるか、又はそうではないことができる。もしＵＬ／ＳＵＬの同時送信性能がＣＡと同一であると、各搬送波で送信可能な送信ブロック(ＴＢ)の最大値の和だけ送信できる反面、ＵＬ／ＳＵＬの同時送信性能がＣＡと同一ではないと、ＵＬ／ＳＵＬ全体に処理可能なＴＢの最大値が定められる。
【００７９】
この場合、ＲＦ端とベースバンドの性能が分離されることができ、ＲＦ端は各ＵＬ／ＳＵＬを他のバンド組み合わせ(ｂａｎｄ ｃｏｍｂｉｎａｔｉｏｎ)とみなして同時送信性能を報告し、ベースバンドはＵＬ／ＳＵＬを１つにみなして処理する能力を報告することができる。即ち、ＲＦについては、各バンドの組み合わせごとにＵＬ ＣＣ１−ＵＬ ＣＣ２、ＵＬ ＣＣ１−ＵＬ ＣＣ２／ＳＵＬ、ＵＬ ＣＣ１−ＳＵＬなどを別々に報告するか、又はＵＬ−ＳＵＬに対する性能を報告するが、それを各バンド組み合わせに適用することができる。ベースバンドの性能はＵＬ、ＳＵＬ、ＵＬ−ＳＵＬを各々受けた時の処理能力を報告するか、又は個別プロセシングができるか否かを送信することである。
【００８０】
−同様にＰＵＣＣＨを動的にスイッチングできる能力もさらに考えることができる。
【００８１】
−ＰＵＳＣＨが動的に変更されて、ＰＵＣＣＨ／ＰＵＳＣＨピギーバックやＰＵＣＣＨの場合に、他のニューマロロジーが各搬送波に適用される時、両者間の処理時間について以下のように考えることができる。
【００８２】
１)ニューマロロジーが同一である場合、ＵＬ／ＳＵＬの処理時間性能は同一である。２つの処理時間性能が異なる場合、スケジューリングにより処理時間が解決されるが、時点ｎでＵＬグラントによるＰＵＳＣＨが送信される前に、時点ｎ＋ｋ(ｋ＞０)でＵＬグラントによるＰＵＳＣＨがある場合は、この場合をエラーであると処理して、端末は前のＵＬグラントを優先するか又は後のＵＬグラントを優先する。又はニューマロロジー、ＴＴＩ長さ或いはその他の所定のルールによって一つを選択する。
【００８３】
２)同じＰＵＣＣＨ搬送波グループ内で設定可能なニューマロロジーの組み合わせには、ＵＬ／ＳＵＬの処理時間性能は同一であり、副搬送波間隔(ｓｕｂｃａｒｒｉｅｒ ｓｐａｃｉｎｇ)が小さい場合の処理時間性能は副搬送波間隔が大きい場合の処理時間性能より大きい。これを満たさない場合、ＰＵＣＣＨの送信中にＰＵＳＣＨがスケジュールされることができ、これにより、端末性能によってＰＵＣＣＨをできる限り早くドロップしてＰＵＳＣＨにＵＣＩをピギーバックすることができる。選択的には、ＨＡＲＱ−ＡＣＫ／ＳＲのみをピギーバックすることができる。又は重複する部分のみでピギーバックすることができる。これはＰＵＣＣＨ送信が繰り返される時にのみ可能である。
【００８４】
もしＰＵＳＣＨとＰＵＣＣＨが同じＵＬを半−静的に選択して使用する場合は、ＰＵＳＣＨ ＨＡＲＱ動作に大きい問題がない。しかし、ＰＵＣＣＨが使用するＵＬとは別途に、ＰＵＳＣＨが使用するＵＬをＤＣＩにより動的に選択する場合には、どのようにＤＣＩでＳＵＬとＵＬのうちから選択するかが問題になる。
【００８５】
第一の案としては、ＣＡで使用するＣＩＦである。基本的に２つのＵＬを有しているので、互いに異なる搬送波と判断して、ＣＩＦを使用することができる。しかし、これはＳＵＬとＵＬを一つのセルと判断するという次元では適合ではない。基本的にＳＵＬとＵＬを共に使用しても、１つのセルとして他のセルとＣＡすることができるので、ＣＩＦは運営上ＣＡと衝突することができる。
【００８６】
第二の案としては、ＳＵＬとＵＬのうちの一つを称する１ビットフィールドを別にすることである。最も基本的な接近方案ではあるが、ＤＣＩで一つのフィールドをさらに追加するという制約がある。
【００８７】
第三の案としては、ＢＷＰ(ｂａｎｄｗｉｄｔｈ ｐａｒｔ)を用いることである。現在ＢＷＰは１搬送波ごとに最大Ｎ個(現在Ｒｅｌ.１５では最大４個)のＢＷＰを設定することができる。これらから選択されたいくつのＢＷＰをＤＣＩにより動的に活性化させる。現在、ＳＵＬとＵＬは一つのセルと判断するので、基本的には最大Ｎ個のＢＷＰを設定することが自然である。但し、搬送波ごとに最大Ｎ個のＢＷＰを設定できる立場では、ＳＵＬとＵＬは各々最大Ｎ個のＢＷＰを設定することが望ましい。しかし、一つのセルオペレーションにおいてＤＣＩフィールドが最大Ｎ個のＢＷＰのうち、活性化するＢＷＰを指示する場合は、ＤＣＩフィールドのサイズがｌｏｇ２Ｎになる。かかるＤＣＩフィールドをＳＵＬとＵＬを全て活性化するＢＷＰを指示するためには、２＊ｌｏｇ２Ｎビットが必要であるが、これを同じフィールドサイズに具現するためにｌｏｇ２Ｎビットのみを利用することを提案する。この場合、ＳＵＬとＵＬを併せてＮ個のＢＷＰが設定される必要があり、これらのうちの一つをｌｏｇ２Ｎビットを用いて指示しなければならない。
【００８８】
既存のＵＬで最大に設定されるＢＷＰがＮ個であると、ＳＵＬが設定されたＵＥの場合、ＳＵＬとＵＬを併せて最大Ｎ個のＢＷＰを設定するように規定する。この場合、いずれか一つのＢＷＰはＳＵＬ又はＵＬに設定されるように規定する。又はＳＵＬの場合、最大一つのＢＷＰのみを設定するように限定することができる。ＵＬグラントにおいてＢＷＰの活性化フィールドを用いてＰＵＳＣＨの動的スイッチングを具現する。
【００８９】
一方、現在３ＧＰＰ ＮＲ標準化では、ＳＵＬ ＣＩＦをフォールバックＤＣＩで使用すると規定している。しかし、フォールバック送信はＳＵＬとＵＬのうち、ＵＬ搬送波のみで送信されることとは曖昧になる。ＵＥの立場では、ＵＬフォールバックＤＣＩのＳＵＬ ＣＩＦの値がＵＬではなくＳＵＬを指示すると、どのように解釈するかが曖昧になるためである。従って、以下のような方法を考えることができる。
【００９０】
Ａ．ＳＵＬ ＣＩＦ値に関係なく全部ＵＬ搬送波で送信する。
【００９１】
Ｂ．ＳＵＬ ＣＩＦ値のみによってＵＬ又はＳＵＬ搬送波を選択する。
【００９２】
Ｃ．動的ＰＵＳＣＨスイッチングが設定された時にのみ、ＳＵＬ ＣＩＦ値によってＵＬ又はＳＵＬ搬送波を選択し、動的ＰＵＳＣＨスイッチングが設定されていない時には、ＳＵＬ ＣＩＦ値に関係なくＵＬ搬送波で送信する。
【００９３】
より具体的には、フォールバックＤＣＩにおいてＵＬ／ＳＵＩ ＣＩＦは動的ＰＵＳＣＨスイッチングが設定された時にのみ存在すると仮定する。ＵＬグラントのサイズがＤＬスケジューリングＤＣＩに比べて大きい時には、フォールバックＤＣＩの場合には動的スイッチングの有無に関係なくＣＩＦが存在しないと仮定することができる。ＣＩＦの有無に関係なくフォールバックＤＣＩのＵＬグラントのサイズはｎｏｎ−ＳＵＬ搬送波に基づいて設定されると仮定する。
【００９４】
即ち、フォールバックＤＣＩのＵＬグラントＤＣＩフィールドは、ｎｏｎ-ＳＵＬ搬送波に基づいて該当ｎｏｎ−ＳＵＬの活性化されたＵＬ ＢＷＰ(或いは設定されたＵＬ ＢＷＰ)によりリソース割り当て、時間ドメイン情報などが定められる。この時、ＳＵＬの帯域幅がｎｏｎ−ＳＵＬに比べて大きい場合は、ＲＡフィールドがＳＵＬスケジューリングのためには不足する。この場合、許容されるＲＡフィールドサイズに該当するＢＷのみが(例えば、最低インデックスのＰＲＢから)フォールバックＤＣＩによりスケジュールされると仮定することができ、逆の場合には、０のようなパディングビットで満たされて使用しないと仮定することができる。これはＤＣＩサイズがＵＬ／ＳＵＬに関係なく変化しないようにするためのものである。又は一般データスケジューリングのためのＤＣＩとサイズを合わせるためには、ＳＵＬを考慮せずフォールバックＤＣＩサイズが定められ、この場合、ＵＬ／ＳＵＬはいずれも該当ＤＣＩサイズによってリソース割り当てに制約が発生することができる。
【００９５】
以下、説明の便宜のために、ＤＣＩサイズを以下のように定義する。
【００９６】
−ＤＣＩ ｆｏｒｍａｔ １_０(ＤＬフォールバックＤＣＩ)：ｍ１ビットサイズ
【００９７】
−ＤＣＩ ｆｏｒｍａｔ ０_０(ＵＬフォールバックＤＣＩ) ｆｏｒ ＵＬ：ｍ２ビットサイズ
【００９８】
−ＤＣＩ ｆｏｒｍａｔ ０_０(ＵＬフォールバックＤＣＩ) ｆｏｒ ＳＵＬ：ｍ３ビットサイズ
【００９９】
−ＤＣＩ ｆｏｒｍａｔ １_１ (ＤＬノン−フォールバックＤＣＩ)：ｍ４ビットサイズ
【０１００】
−ＤＣＩ ｆｏｒｍａｔ ０_１ (ＵＬノン−フォールバックＤＣＩ) ｆｏｒ ＵＬ：ｍ５ビットサイズ
【０１０１】
−ＤＣＩ ｆｏｒｍａｔ ０_１ (ＵＬノン−フォールバックＤＣＩ) ｆｏｒ ＳＵＬ：ｍ６ビットサイズ
【０１０２】
第四の案としては、現在３ＧＰＰ ＮＲでは、ブラインド復号の数を減らすために、ＤＬフォールバックＤＣＩとＵＬフォールバックＤＣＩのサイズを同一に構成することが論議されており、ＤＬノン−フォールバックＤＣＩ、即ち、ＤＬ一般ＤＣＩとＵＬ一般ＤＣＩのサイズも同一に構成することが論議されている。ＤＬフォールバックＤＣＩとＵＬフォールバックＤＣＩのサイズを同一にするために、ＵＬフォールバックＤＣＩにパディングビットを付加する場合は、このパディングビットのうちの一つをＳＵＬ ＣＩＦとして使用することができる。
【０１０３】
ＵＬフォールバックＤＣＩのサイズをＤＬフォールバックＤＣＩのサイズに合わせるために、以下のように考えることができる。
【０１０４】
まずＵＬフォールバックＤＣＩとＤＬフォールバックＤＣＩのサイズがｍａｘ(ｍ１、ｍ２)である場合を考える。この場合、ｍ１がｍ２以下であると、ＵＬフォールバックＤＣＩにそれ以上のフィールドがないので、ＳＵＬ ＣＩＦはないと仮定する。ＤＬフォールバックＤＣＩの場合は、パディングしてサイズを合わせることができる。ＳＵＬフォールバックＤＣＩもＵＬフォールバックＤＣＩにＳＵＬ ＣＩＦがないため、一緒にないと仮定する。ＳＵＬフォールバックＤＣＩの場合には、サイズがｍａｘ(ｍ１、ｍ２)より小さいと、ＳＵＬフォールバックＤＣＩにパディングしてｍａｘ(ｍ１,ｍ２)に到達するようにする。もしＳＵＬフォールバックＤＣＩのサイズがｍａｘ(ｍ１、ｍ２)より大きい場合は、ＳＵＬフォールバックＤＣＩのフィールドのうちの一部をＭＳＢ又はＬＳＢに切断(ｔｒｕｎｃａｔｉｏｎ)する。例えば、周波数ドメインのリソース割り当てのためのフィールドをＭＳＢ又はＬＳＢに切断することができる。もしｍ１がｍ２より大きいと、ＵＬフォールバックＤＣＩにＳＵＬ ＣＩＦを追加することができる。ＳＵＬフォールバックＤＣＩはＵＬフォールバックＤＣＩにＳＵＬ ＣＩＦが追加されたので、ＳＵＬ ＣＩＦがあると仮定する。もしＳＵＬ ＣＩＦが追加されたＳＵＬフォールバックＤＣＩのサイズがｍａｘ(ｍ１、ｍ２)より大きいと、ＳＵＬフォールバックＤＣＩのフィールドのうちの一部をＭＳＢ又はＬＳＢに切断する。例えば、周波数ドメインのリソース割り当てのためのフィールドをＭＳＢ又はＬＳＢに切断することができる。
【０１０５】
次いで、ＵＬフォールバックＤＣＩとＤＬフォールバックＤＣＩがｍ１である場合を考える。この場合、ｍ２とｍ３がいずれもｍ１より小さい場合にのみＳＵＬ ＣＩＦを追加することができる。この場合、ｍ２とｍ３が異なる値であると、ＳＵＬ ＣＩＦの位置が異なることができる。以下、図を参照しながら説明する。
【０１０６】
図１０及び図１１は本発明の実施例によってフォールバックＤＣＩにＳＵＬ ＣＩＦを追加する例を示す。
【０１０７】
図１０を参照すると、ｍ２とｍ３が異なる値である時、ＳＵＬ ＣＩＦの位置が異なる。これを避けるためには、ＳＵＬ ＣＩＦをＤＣＩサイズを合わせるためのパディングの最後に位置するように、図１１のように構成することができる。特に図１１の構成は、ＤＣＩの復号前に該当ＤＣＩがＵＬ、ＳＵＬ及びＤＬのうちの何のためのものであるかを予め確認できるという長所がある。 
【０１０８】
もしｍ２とｍ３のうち、いずれか一つでもｍ１以上であると、ＳＵＬ ＣＩＦはないと仮定し、ｍ１より大きいサイズを有するＵＬ／ＳＵＬフォールバックＤＣＩのうちの一部フィールドをＭＳＢ又はＬＳＢに切断する。例えば、周波数ドメインのリソース割り当てのためのフィールドをＭＳＢ又はＬＳＢに切断することができる。切断後、ＳＵＬ ＣＩＦはＤＣＩの最後ビットに位置するようにする。
【０１０９】
以上では、フォールバックＤＣＩである場合を例示したが、一般ＤＣＩである場合にも同じ方法でＣＩＦを構成することができる。
【０１１０】
一方、ＳＵＬとＵＬは互いに異なるニューマロロジーを有することができる。例えば、ＳＵＬはＬＴＥバンドで割り当てて１５ＫＨｚの副搬送波間隔を使用し、ＵＬは同じ時間にもっと多いビーム特定のＳＳＢを見せるために、３０ＫＨｚの副搬送波間隔を使用することができる。このように互いに異なるニューマロロジーを使用する場合、ＰＵＳＣＨが動的にスイッチングすると、ＰＵＳＣＨの初期送信と再送信のタイミングを基地局がＤＣＩにより指示する。
【０１１１】
基地局がＤＣＩにより初期送信と再送信のタイミングを指示する場合、送信される搬送波が変更されると、タイミング解釈に問題が発生し得る。これを解決するために、現在ＮＲでは、スケジュールされるリンクのニューマロロジーに合わせてタイミングを解釈しており、タイミングの開始点はＤＬの制御領域と時間的に重なるＵＬのＴＴＩを最初開始点であると解釈している。かかる複雑な問題を避けるためには、ＳＵＬとＵＬでＰＵＳＣＨ動的スイッチングを使用する場合、ＵＬ ＨＡＲＱは一つのＨＡＲＱプロセスＩＤが終了するまで同じ搬送波で初期送信と再送信が行われるように規定することができる。
【０１１２】
普通、ＨＡＲＱプロセスＩＤの最大値はＲＴＴ(ｒｏｕｎｄ ｔｒｉｐ ｔｉｍｅ)を考慮して定められる。例えば、ＬＴＥ ＦＤＤの場合、ＲＴＴが８ＴＴＩであり、８個の送信が順に行われることを考慮して８つのＨＡＲＱプロセスＩＤを規定する。ＳＵＬとＵＬの場合、基本的に一つのセルと規定し、ＤＬは１つの搬送波で送信されるので、一つのＨＡＲＱプロセスＩＤを共有することが好ましい。またＵＬ ＨＡＲＱプロセスＩＤもＳＵＬとＵＬに同時にＰＵＳＣＨが送信されることができないので、同じＨＡＲＱプロセスＩＤを共有することが好ましい。
【０１１３】
ＨＡＲＱプロセスＩＤの共有時、この値の最大値はＲＴＴを考慮して定める必要がある。ＤＬ ＨＡＲＱプロセスＩＤの最大値を決定する場合は、ＤＬが１つであるので問題にならないが、ＵＬ ＨＡＲＱプロセスＩＤの最大値を決定する場合には、ＵＬとＳＵＬが異なるニューマロロジーを有することができるので曖昧である。よって本発明では、ＳＵＬとＵＬの運営時、ＵＬ ＨＡＲＱプロセスＩＤをＳＵＬとＵＬの間に共有し、ＨＡＲＱプロセスＩＤの最大値が短い長さのＴＴＩを有するＵＬ搬送波のＲＴＴの値になるように規定することを提案する。
【０１１４】
ＮＲにおいて、各搬送波ごとにＨＡＲＱプロセス数を設定することができる。ＳＵＬとＵＬがＨＡＲＱを共有する場合、二つの搬送波に一つのＨＡＲＱプロセス数を設定することを意味する。これはネットワークがソフトバッファー(ｓｏｆｔ ｂｕｆｆｅｒ)及びプロセシング能力を考慮して決定した値である。ＨＡＲＱが交差搬送波に支援されるか否かに対する設定も可能である。或いはこの値は端末の性能によって異なる。ＨＡＲＱが共有される場合、処理時間と最大ＴＢＳに対する処理はスケジュールされる各々の搬送波の制約やニューマロロジーに従う。従って、どの搬送波に対するスケジューリングであるかによってタイミングが定まるリソース割り当てのＲＢＧ ｇｒａｎｕｌａｒｉｔｙ(Ｒｅｓｏｕｒｃｅ Ｂｌｏｃｋ Ｇｒｏｕｐ ｇｒａｎｕｌａｒｉｔｙ)などが変化する。これはＣＩＦ値によってＤＣＩサイズが変化することを意味する。また波形(ｗａｖｅｆｏｒｍ)も変化することができる。波形は各搬送波ごとにＵＥ特定に設定されるので、ＣＩＦ値によって変化することができ、この場合、初期送信／再送信の全てについてＴＢＳを同一に合わせることが難しい。従って、このようなケースに限って、ＴＢＳを同一に合わせるためのスケール因子(ｓｃａｌｉｎｇ ｆａｃｔｏｒ)を動的に指示することができる。これはＨＡＲＱが多重搬送波に共有される場合に、一般的に適用することができる。
【０１１５】
また、このような状況を考慮して、参照(ｒｅｆｅｒｅｎｃｅ)ＲＥを決定するオーバーヘッドに対する設定が２つの搬送波に等しく設定されることができる。或いは一つのパラメータが２つのＵＬ／ＳＵＬに適用されると仮定することができる。これは初期送信と再送信が異なるＢＷＰに送信される場合にも同様に適用できる。即ち、参照ＲＥオーバーヘッドを各ＢＷＰごとに搬送波ごとに設定するか、又は初期送信と再送信が共有されるＢＷＰの間に一つの値を設定することである。また波形もＢＷＰごとに設定することができる。或いは各ＢＷＰごと搬送波ごとに設定した後、ネットワークがスケジューリングにより解決することもできるが、端末は以下のように仮定することができる。端末がＴＢＳを再び計算しなければならない場合、初期送信と再送信のＴＢＳが同一であると仮定する。
【０１１６】
フォールバックＵＬグラントは、ＣＩＦなしにスケジュールするＵＬ搬送波に対するＵＬグラントであると仮定するか、又は無条件ＰＵＣＣＨと同じＵＬ搬送波に対するＵＬグラントであると仮定するか、又はデフォルトでどの搬送波をフォールバックＵＬグラントに使用するかを上位階層で構成することができる。又はＭｓｇ３を送信した搬送波をフォールバック搬送波として使用することもできる。これはフォールバックＵＬグラント時に使用される波形にも同様に適用できる。Ｍｓｇ３を送信する搬送波の変更時、自動にＰＵＣＣＨ搬送波が変更されると仮定することもできる。ＲＡＣＨ手順に成功した時(例えば、Ｍｓｇ４の受信成功時)、端末はＰＵＣＣＨ搬送波の再設定が暗黙的に行われたと仮定する。ＲＡＣＨ手順において、Ｍｓｇ３、Ｍｓｇ４のＨＡＲＱ−ＡＣＫ送信は、ＲＡＣＨがトリガーされた搬送波で行われると仮定する。従って、この場合、ＰＵＣＣＨ搬送波は以下のように処理することができる。
【０１１７】
−ＲＡＣＨ送信トリガーＰＵＣＣＨ搬送波の再設定を仮定する。
【０１１８】
−Ｍｓｇ３の送信後、ＰＵＣＣＨ搬送波の再設定を仮定する。
【０１１９】
−Ｍｓｇ４の受信後、ＰＵＣＣＨ搬送波の再設定を仮定する。
【０１２０】
−Ｍｓｇ４の受信後、ＨＡＲＱ−ＡＣＫ送信のみのためにＰＵＣＣＨ搬送波を動的に変更する。該当時間の間に元来のＰＵＣＣＨ搬送波でのＰＵＣＣＨ送信が中断又はドロップされるか、又はＰＵＣＣＨ搬送波の再設定と判断されることができる。
【０１２１】
−Ｍｓｇ４に対するＨＡＲＱ−ＡＣＫは、ＰＵＣＣＨの再設定前には元来のＰＵＣＣＨ搬送波で送信する。これはデフォルトリソースを各々のＰＵＣＣＨ搬送波ごとに構成し、該当デフォルトリソースを用いてＭｓｇ４に対するＨＡＲＱ−ＡＣＫを送信することを意味する。
【０１２２】
現在、ＬＴＥでは複数のＰＵＣＣＨリソースのうちの一つをＡＲＩ(ＡＣＫ／ＮＡＣＫ Ｒｅｓｏｕｒｃｅ Ｉｎｄｉｃａｔｏｒ)によりＤＣＩで指定し、ＵＥはそこでＡＣＫ／ＮＡＣＫを送信するようになっている。もしＵＬとＳＵＬを運営する場合、搬送波が２つであるので、ＡＲＩを搬送波の間に共有することが難しい。例えば、ＰＵＣＣＨリソースをＲＲＣにより設定し、これらのうち、ＡＲＩにより具体的なＰＵＣＣＨリソースを指定すると仮定する場合、ＳＵＬとＵＬの間に同じニューマロロジーを使用すると、ＡＲＩを共有してもよいが、他のニューマロロジーを使用する場合には、ＰＵＣＣＨリソースの設定時に変更することができるので、ＡＲＩの共有時に問題になり得る。従って、本発明では、ＳＵＬとＵＬを共に運営する時、異なるニューマロロジーである場合に限ってＳＵＬとＵＬの間にＰＵＣＣＨリソースを別々に設定し、同じニューマロロジーである場合には区分なしにＰＵＣＣＨリソースを設定する。
【０１２３】
現在ＮＲでは、グラントフリー(ｇｒａｎｔ ｆｒｅｅ)ＰＵＳＣＨが論議されている。これは遅延を減らすために、ＵＬグラントなしにＵＥが一定のリソースでＰＵＳＣＨを送信する技法である。これは基地局がＵＥにグラントフリーＰＵＳＣＨとして利用するリソースを設定し、これらのうち、ＵＥがパケットがある場合に、これらのリソースのうちの一つを用いる形態である。もしＳＵＬとＵＬを動的にＰＵＳＣＨスイッチングにより利用する場合は、グラントフリーＰＵＳＣＨ送信と同じ時点に送信される場合があり得る。現在ＲＡＮ２では、同時点にＰＵＳＣＨが送信されないことを仮定しているので、ＰＵＳＣＨとグラントフリーＰＵＳＣＨがＳＵＬで送信される場合(又はＵＬで送信される場合、又はＳＵＬとＵＬで各々送信される場合)、一つをドロップするように規定することができる。
【０１２４】
即ち、グラントフリーＰＵＳＣＨが遅延イッシュがあるので、スケジュールされるＰＵＳＣＨをドロップするように規定することができる。又はＳＵＬにカバレッジが広いので、ＳＵＬ送信のみを行うことができる。又はＴＢＳが大きいか、符号化率がより低い送信のみを行うことができる。又はＭＣＳが低いと、信頼度が良いので、ＭＣＳがもっと低い送信のみを行うこともできる。又はグラントフリーＰＵＳＣＨと一般的なグラント基盤のＰＵＳＣＨのうち、優先順位をグラントフリーＰＵＳＣＨのリソース設定により知らせることができる。
【０１２５】
ＳＵＬとＵＬの間にグラントフリーＰＵＳＣＨのリソースを設定する時、二つの搬送波に全て設定することもできる。特に動的ＰＵＳＣＨスイッチングである時には、スケジュールされるＰＵＳＣＨの場合、基地局がどの搬送波で送信するかをＤＣＩにより指定できるが、グラントフリーの場合には、かかる指示がないので、どの搬送波でグラントフリーＰＵＳＣＨを送信するかが曖昧になる。従って、本発明では以下のように提案する。
【０１２６】
１．グラントフリーＰＵＳＣＨのリソース設定では、ＳＵＬ、ＵＬをいずれも設定することができる。これは、動的ＰＵＣＨスイッチングが設定された場合に限って可能であるように規定できる。
【０１２７】
２．グラントフリーＰＵＳＣＨのリソース設定にＳＵＬ、ＵＬがいずれも設定された場合、ＳＵＬとＵＬの間にグラントフリーＰＵＳＣＨのリソースが時間領域で重なると(又は時間領域で重なる区間が臨界値以上であると)、ＵＥはＵＬに関連するＤＬのＲＳＲＰのＲＳＲＰ臨界値によって、ＳＵＬで送信するか又はＵＬで送信するかを選択する。時間領域での臨界値及びＲＳＲＰ臨界値は、基地局がＲＲＣシグナリングにより知らせることができる。又は基地局がＳＵＬとＵＬのグラントフリーＰＵＳＣＨのリソースが重なる時、どの搬送波で送信するかをＲＲＣにより設定することができる。これは動的ＰＵＳＣＨスイッチングが設定された場合に限って可能であるように規定することができる。
【０１２８】
３．グラントフリーリソースの設定上、ＵＬ／ＳＵＬを一つのセルと判断する。もし別にリソース設定が可能である場合、少なくともセルごとにＲＮＴＩ値を変更できるようにする。これは一つのＤＬ搬送波で送信されるＵＬグラントがＣＩＦ値により区別されるか、又はＲＮＴＩ値により区別されることを意味する。しかしＵＬ再送信がラントフリーＰＵＳＣＨのセル又は他のセルでも行われることを仮定すると、一つのセルに複数のリソースがある動作と同一である必要があり、この場合は、ＲＮＴＩ値などを区別してリソースを区別するか、又はＨＡＲＱ ＩＤなどを変更して使用しなければならない。
【０１２９】
４．ＳＵＬにおいて、グラントフリーを送信できる場合、グラントフリーＰＵＳＣＨが有効であることは以下のように定義することができる。半−静的にＳＵＬにおいてＵＬと仮定できるリソースを受けるか、ＵＬと仮定できないリソースを受けるか、又はＵＬ／ｆｌｅｘｉｂｌｅを受ける。ＳＵＬの場合、ＤＬがないので、半−静的にＤＬ／ＵＬを設定時、ｆｌｅｘｉｂｌｅ／ＵＬのみを受けることができる。この場合、ｆｌｅｘｉｂｌｅリソースに対する処理は以下の通りである。
【０１３０】
−グラントフリーＰＵＳＣＨがｆｌｅｘｉｂｌｅリソースで常に有効であるか否かが上位階層により設定される。
【０１３１】
−グラントフリーＰＵＳＣＨがｆｌｅｘｉｂｌｅリソースで有効であるか否かがグループ共通(ｇｒｏｕｐ ｃｏｍｍｏｎ)ＰＤＣＣＨがＳＵＬについて構成されると、ＳＦＩ／グループ共通ＰＤＣＣＨに従う。そうではない場合は、グラントフリーＰＵＳＣＨの設定によって有効であると仮定する。
【０１３２】
−グラントフリーＰＵＳＣＨはｆｌｅｘｉｂｌｅ及びＵＬにおいて有効であると仮定し、使用できないリソースはレートマッチングするか又は留保(ｒｅｓｅｒｖｅｄ)リソースで構成する。
【０１３３】
一方、グラントフリーＰＵＳＣＨのリソースをＳＵＬ、ＵＬがいずれも設定した場合、ＳＵＬとＵＬの間にそのリソースが時間領域で重なると(或いは重なる領域が臨界値以上であると)、以下の規則によってグラントフリーＰＵＳＣＨを送信する搬送波を選択する。
【０１３４】
−ＳＵＬにカバレッジが広いので、ＳＵＬでグラントフリーＰＵＳＣＨ送信する。
【０１３５】
−ＴＢＳが大きいか又は符号化率がより低いグラントフリーＰＵＳＣＨのリソース設定を有する搬送波で送信する。
【０１３６】
−ＭＣＳが低いと、信頼度が良いので、ＭＣＳがより低いグラントフリーＰＵＳＣＨのリソース設定を有する搬送波で送信する。
【０１３７】
−グラントフリーＰＵＳＣＨ送信の優先順位をグラントフリーのリソース設定により知らせる。
【０１３８】
現在、ＳＵＬではＳＵＬとＵＬに各々ＰＵＳＣＨとＰＵＣＣＨを同時送信することができる。この場合、ＰＵＳＣＨとＰＵＣＣＨを同時送信すると、各々の送信に付与できる電力がＰＡＰＲ問題によって低くなる。従って、ＰＵＳＣＨを送信する搬送波でＰＵＣＣＨをピギーバックして送る動作を考えることができる。但し、ピギーバックはＳＵＬとＵＬの間に異なるニューマロロジーである場合には複雑になる問題がある。
【０１３９】
ＳＵＬとＵＬが同じニューマロロジーを使用する場合は、一つの搬送波でＰＵＳＣＨにＰＵＣＣＨをピギーバックすることを考えることができるが、互いに異なるニューマロロジーを使用する場合には、ＰＵＳＣＨにＰＵＣＣＨをピギーバックすると、遅延が変化することができる。例えば、３０ＫＨｚの１４シンボルを使用するＰＵＳＣＨ送信に１５ＫＨｚの１４シンボルを使用するＰＵＣＣＨをピギーバックする場合、ＰＵＣＣＨ送信の遅延が減らす。これは遅延が短くなった場合であるので、大きい問題ではない。しかし１５ＫＨｚの１４シンボルを使用するＰＵＳＣＨ送信に３０ＫＨｚの１４シンボルを使用するＰＵＣＣＨをピギーバックする場合には、ＰＵＣＣＨ送信の遅延がピギーバック前に比べて増える。
【０１４０】
この問題を解決するためには、より小さい副搬送波間隔を有するＰＵＳＣＨ送信に、より大きい副搬送波間隔を有するＰＵＣＣＨ送信をピギーバックする場合、ＰＵＣＣＨのピギーバックをＰＵＣＣＨ送信がピギーバックする前に終了する時点までＰＵＳＣＨにピギーバックする必要がある。但し、ＰＵＣＣＨ送信も処理時間を考慮したタイミングであるので、ＰＵＣＣＨのピギーバックをＰＵＣＣＨ送信がピギーバックする前に開始する時点からＰＵＳＣＨにピギーバックする必要がある。又は、ＵＬとＳＵＬにおいて、各々ＰＵＳＣＨとＰＵＣＣＨが送信される場合、ＰＵＳＣＨをドロップするように規定することができる。これはＰＵＳＣＨ送信が一般的にＰＵＣＣＨ送信より重要度が落ちるためである。
【０１４１】
ＳＵＬとＵＬにおいて各々異なるニューマロロジーを有する場合、ＰＵＳＣＨとＰＵＣＣＨが各々異なる搬送波でスケジュールされたが、一部又は全部が時間領域で重複すると、同時送信を防止するために、一つのチャネルに対するドロップを考慮する必要がある。
【０１４２】
チャネル自体の重要度を考慮すると、Ａ／Ｎ ＰＵＣＣＨ、ＵＣＩ ＰＵＳＣＨ、ＣＳＩ ＰＵＣＣＨ、ＰＵＳＣＨの順に重要度を策定することができる。ＵＣＩ ＰＵＳＣＨは基地局がＵＣＩグラントを与えたＰＵＳＣＨを意味し、ＰＵＳＣＨはそれ以外のＰＵＳＣＨを意味する。
【０１４３】
ＰＵＳＣＨとＰＵＣＣＨの一部又は全部が時間領域で重複する場合、上記重要度の順に基づいて非重要チャネルからドロップし、チャネル全体をドロップすることができ、重複する領域のみをドロップすることもできる。重複する領域のみをドロップする場合、規則を定めることができる。例えば、重複する部分がＸシンボル以下であると、重複する領域のみをドロップする。その理由は多いリソースがドロップされる場合、残りの部分を送信しても復号が不可能であり、あえて送信する必要がないためである。かかる規則では、符号化率によって、送信するリソースに比べて重複するリソースの比率がＹ以下である場合に重複する領域のみをドロップするようにすることができる。
【０１４４】
ＳＵＬとＵＬにおいて各々異なるニューマロロジーを有する時、ＰＵＳＣＨとＰＵＣＣＨが各々異なる搬送波でスケジュールされたが、一部又は全部が時間領域で重複する場合、同時送信を防止するために、ＰＵＳＣＨにＰＵＣＣＨをピギーバックする規則が必要である。
【０１４５】
まず、重複する領域のみをピギーバックし、残りはピギーバックなしに送信することができ、又は全体をピギーバックすることもできる。従って、上記ＰＵＳＣＨとＰＵＣＣＨのドロップ規則に従ってＰＵＣＣＨがドロップされる場合、ピギーバックするように規定することができる。またピギーバックについてＡ／Ｎ ＰＵＣＣＨのみをピギーバックして重要度が高いＡ／Ｎの信頼度を増大することができる。かかるピギーバック規則は処理時間に非常に依存的である。例えば、ＰＵＳＣＨにＰＵＣＣＨをピギーバックする時、ＰＵＳＣＨ送信のためのプロセシング開始前にＰＵＣＣＨを共にプロセシングできる状況であれば、ピギーバックが可能であるが、もしＰＵＳＣＨをプロセシングする時点にＰＵＣＣＨを利用できる状況であれば、ピギーバックが不可能である。
【０１４６】
現在のＮＲシステムでは、ＰＤＳＣＨを復号して、ＡＣＫ／ＮＡＣＫの準備までかかる処理時間(ＰＤＳＣＨ後、ＡＣＫ／ＮＡＣＫの準備までかかる時間)をＮ１と定義し、ＰＤＣＣＨを復号して、ＰＵＳＣＨの準備までかかる処理時間(ＰＤＣＣＨが送信されたＰＤＣＣＨ領域の最後のシンボル後、ＰＵＳＣＨの準備までかかる時間)をＮ２と定義する。
【０１４７】
以下、上記定義に基づいて、第一にＰＵＳＣＨをパンチャリングした後にＰＵＣＣＨをピギーバックする場合と、第二にＰＵＳＣＨをレートマッチングしてＰＵＣＣＨをピギーバックする場合とを区分して説明する。
【０１４８】
第一に、パンチャリングの場合、ＰＵＳＣＨプロセシングはＰＵＣＣＨプロセシングの終了前に開始することができるので、またＰＵＳＣＨの送信中にＰＵＣＣＨが中間に挿入されればよいので、ＰＵＳＣＨの送信中にＰＵＣＣＨプロセシングが終了すると、ＰＵＣＣＨをＰＵＳＣＨにピギーバックすることができる。従って、ＰＤＳＣＨが送信された直後、Ｎ１時間(又は並列プロセシングを考慮してＮ１とＮ２のうちの最大値)後にのみ、ＰＵＳＣＨ送信中にＰＵＣＣＨをピギーバックして送信するように規定することができる。これは、全てのＰＵＣＣＨ送信をピギーバックすることもできるが、ＰＵＳＣＨと重複する領域のみをピギーバックし、残りは元来の送信時点に送信することができる。
【０１４９】
しかし、この場合、一つのＰＵＣＣＨ送信が時間的に離れて送信されることができる。これにより端末の複雑度が増加する。これを防止するためには、ＰＵＣＣＨがスケジュールされた時間後にのみ、ＰＵＳＣＨ送信中にＰＵＣＣＨをピギーバックして送信するように規定することができる。この場合、全てのＰＵＣＣＨ送信をピギーバックすることもできるが、ＰＵＳＣＨと重複する領域のみをピギーバックし、残りは元来の送信時点に送信することができる。
【０１５０】
第二に、レートマッチングの場合は、ＰＵＳＣＨプロセシングがＰＵＣＣＨプロセシングの終了前に開始することができない。従って、ピギーバックのためにはＰＵＳＣＨ処理時間のみを考慮してはいけない。例えば、ＰＤＣＣＨが送信されたＰＤＣＣＨ領域の最後のシンボルからＮ２時間後にＰＵＳＣＨが送信される場合、またその瞬間、ＰＵＣＣＨプロセシングが終了していても、ＰＵＳＣＨは送信するＰＵＣＣＨを共に考慮してＵＣＩピギーバックされたＰＵＳＣＨをプロセシングする追加時間Ｎ１が必要である。従って、以下の状況が全て満たされた場合にのみＰＤＳＣＨの送信からＮ１時間後にＰＵＳＣＨが送信され、ＵＣＩグラントが送信されたＰＤＣＣＨ領域の最後のシンボル後、Ｎ１＋Ｎ２時間(又は並列プロセシングを考慮してＮ１と、Ｎ２のうちの最大値)後にＰＵＳＣＨが送信される場合にのみピギーバックするように規定することができる。これは、全てのＰＵＣＣＨ送信をピギーバックすることもできるが、ＰＵＳＣＨと重複する領域のみをピギーバックし、残りは元来の送信時点に送信することができる。
【０１５１】
又はＰＤＳＣＨの送信からＮ１時間後にＰＵＳＣＨが送信され、ＵＣＩグラントが送信されたＰＤＣＣＨ領域の最後のシンボル後、Ｎ１＋Ｎ２時間(又は並列プロセシングを考慮してＮ１とＮ２のうちの最大値)後にＰＵＳＣＨが送信される場合にのみ、ＰＵＣＣＨがスケジュールされた時間後にのみ、ＰＵＳＣＨ送信中にＰＵＣＣＨをピギーバックして送信するように規定することができる。これは、全てのＰＵＣＣＨ送信をピギーバックすることもできるが、ＰＵＳＣＨと重複する領域のみをピギーバックし、残りは元来の送信時点に送信することができる。
【０１５２】
上述したＮ１とＮ２はピギーバックを考慮した処理時間であり、Ｎ１＋ｄ１とＮ２＋ｄ２に新しく定義して適用することができる。
【０１５３】
一方、以上ではＳＵＬにおいてＲＲＣ設定／解除／再設定の際にフォールバックＤＣＩによりＵＬグラントを送信すると、どの搬送波でＰＵＳＣＨを送信するかに関して、設定されたＰＵＣＣＨ搬送波で送信する場合、ＳＵＬで送信する場合及びＵＬで送信する場合について説明した。
【０１５４】
設定されたＰＵＣＣＨ搬送波でＰＵＳＣＨを送信する場合、ＰＵＣＣＨ搬送波を再設定する時に曖昧になることができる。これはフォールバックＤＣＩがどの搬送波を意味するかを知らないためである。これを解決するためには、ＰＵＣＣＨ搬送波の設定／再設定の際に、フォールバックＤＣＩのＵＬグラントによるＵＬ送信をＳＵＬ(又はＵＬ)搬送波で送信することができる。
【０１５５】
次に、ＳＵＬにおいてＰＵＳＣＨを送信する場合は、ＳＵＬを解除する時に曖昧になることができる。フォールバックＤＣＩがＳＵＬで送信を意味するが、実際ＳＵＬを解除しているためである。これを解決するためには、ＳＵＬの解除時にはフォールバックＤＣＩのＵＬグラントによるＵＬ送信はＵＬ搬送波で送信することができる。
【０１５６】
もしＵＬにおいてＰＵＳＣＨを送信する場合、ＲＲＣシグナリングによりＵＬにフォールバックする前にＵＬグラントを受けてそれに対するＰＵＳＣＨ送信時間がフォールバック時点前である場合を仮定する。もしＵＬグラントがフォールバック前にＳＵＬでの送信を意味するなどの理由で送信リソースの全部又は一部にＤＬが割り当てられていると、ＵＬではないＳＵＬで送信する。これは、基地局が意図的にＳＵＬへの送信を意図していると判断することができる。しかし、元々ＵＬグラントがＳＵＬではなくＵＬのためのものであるが、ＵＬのためのＤＣＩとＳＵＬのためのＤＣＩが異なるため、ＳＵＬのどのリソースでどのように送信するかが曖昧であり、ドロップすることもできる。又はＵＬ ＤＣＩを受けたにもかかわらず、ＳＵＬで送信することに備えて予めＵＬ ＤＣＩをＳＵＬ送信のためにどのように解釈して送信するかを定義しておくこともできる。
【０１５７】
一方、ＳＵＬにおいて、ＳＵＬとＵＬは異なるニューマロロジーを使用することができる。ＳＵＬは現在ＤＬ／ＵＬより小さい副搬送波間隔を使用することができる。例えば、ＳＵＬは１５ＫＨｚ ＳＣＳ、ＤＬ／ＵＬは３０ＫＨｚ ＳＣＳが可能である。この場合、ＳＵＬのスロット長さはＤＬ／ＵＬのスロット長さの２倍になり、(同期が合う場合)一つのＳＵＬスロットは２つのＤＬ／ＵＬスロットと互いに時間領域で整合する。この場合、ＰＵＳＣＨ動的スイッチングを設定すると、ＤＣＩでは、ＵＬにおいてＰＵＳＣＨが送信されるか、ＳＵＬにおいてＰＵＳＣＨが送信されるかを１ビットで指示することになる。この場合、ＵＬとＳＵＬは帯域幅の長さが異なるので、リソース割り当てフィールドが変更されるなど、ＤＣＩフィールドのサイズが変化するため、全体ＤＣＩのサイズがＵＬとＳＵＬの間で変化する。このようにＤＣＩのサイズが異なると、ＵＥは検索領域で２つのＤＣＩをブラインド復号しなければならない。これを解決するためには、ＤＣＩのサイズをＵＬとＳＵＬの間で互いに強制的に合わせる必要がある。長さが短い方にパディングを行って長さを合わせることである。これにより、ブラインド復号の数を減らすことができる。
【０１５８】
しかし、ＳＵＬとＵＬのＳＣＳが異なる場合は、より小さいＳＣＳを有するＵＬ(又はＳＵＬ)はＤＬに比べてＮ個のＤＬスロットに一つのＵＬ(又はＳＵＬ)が整合する。ここで、Ｎはより小さいＳＣＳのＮ倍がもっと大きいＳＣＳを意味する。かかる場合まであえてＮ個のＤＬスロットを全てもっと小さいＳＣＳを有するＵＬ(又はＳＵＬ)にスケジュールする必要はない。従って、これらのうち、Ｎより小さい数のＤＬスロットのみをスケジュールするように規定することができる。例えば、ｎ＝ｋＮ(但し、ｋ＝０、１、２、３、４、…)スロットのみでスケジュールすることができる。
【０１５９】
このように特定のＤＬスロットのみでＳＣＳが小さいＵＬ(又はＳＵＬ)の送信をスケジュールする場合、この特定のＤＬスロットではＵＬ、ＳＵＬでの送信に対するＤＣＩを全てブラインド復号しなければならないが、それ以外のＤＬスロットではＳＣＳが大きいＵＬ(又はＳＵＬ)の送信に対するＤＣＩのみをブラインド復号してもよい。従って、本発明では、ＳＣＳが小さいＵＬ(又はＳＵＬ)の送信に対するＤＣＩが送信される特定のＤＬスロットではＵＬとＳＵＬのスケジューリングのためのＤＣＩのサイズをパディングして同一に構成し、それ以外のＤＬスロットではパディングなしに、即ち、ＤＣＩサイズを合わせることなく送信することを提案する。このような特定のＤＬスロットは、ＲＲＣシグナリング(又はＭＡＣ ＣＥ)により知らせるか、又は予め送受信の間で定義されることができる。
【０１６０】
現在、３ＧＰＰ ＮＲでは、ＤＬ ＢＷＰは変化していないが、ＵＬ ＢＷＰが変化してＰＤＳＣＨのＤＬグラント時点とＡ／Ｎの送信時点でのＵＬ ＢＷＰが異なる場合、Ａ／Ｎを送信しないと規定されている。これはＢＷＰが変化してスイッチング時間が必要であるが、それを考慮してＡ／Ｎを送信する動作を保障できるかが不明であるためである。
【０１６１】
しかし、ＳＵＬを設定する場合、曖昧になることができる。ＳＵＬにおいてＡ／Ｎが送信される場合、ＳＵＬのＢＷＰが変化すると、Ａ／Ｎを送信しないことが好ましい。しかし、ＵＬのＢＷＰが変化すると、これはＳＵＬのＢＷＰとは関係ないので、Ａ／Ｎを送信することが好ましい。これはＵＬにおいてＡ／Ｎが送信される場合にも同様である。
【０１６２】
しかし、ＳＵＬにおいてＡ／Ｎが送信される場合、ＳＵＬのＢＷＰが変化したが、ＵＬにおいてＡ／ＮタイミングにＰＵＳＣＨが送信されてＵＣＩピギーバックしてＰＵＳＣＨが送信されると、これはＵＬにおいてＡ／Ｎ送信が可能であるとすることが好ましい。同様に、ＵＬにおいてＡ／Ｎが送信される場合は、ＵＬのＢＷＰが変化したが、ＳＵＬにおいてＡ／ＮタイミングにＰＵＳＣＨが送信されてＵＣＩピギーバックしてＰＵＳＣＨが送信されると、ＳＵＬにおいてＡ／Ｎ送信が可能であることが好ましい。
【０１６３】
但し、Ａ／Ｎが送信される搬送波のＢＷＰが変化した場合は、他の搬送波でＡ／Ｎがピギーバックされて送信されても送信しないことが好ましいが、上記の場合は、Ａ／Ｎを送信してもよい状況で送信していないこととなり、実際の動作性能を低下する問題がある。具体的には、ＰＤＳＣＨが送信される時点にＤＣＩで指示したＨＡＲＱ−ＡＣＫリソースは該当時点或いはＰＤＳＣＨの送信時点に活性化された一つのＵＬ ＢＷＰ内でのＨＡＲＱ ＡＣＫリソースであると仮定することができる。その時点から実際のＰＵＣＣＨ送信時点までＰＵＣＣＨを送信するＵＬ ＢＷＰが変更された場合、以前のＨＡＲＱ ＡＣＫリソースがそれ以上有効ではない可能性がある。よって、それ以外の状況ではＨＡＲＱ ＡＣＫやＵＣＩ送信を期待することである。
【０１６４】
かかる仮定によれば、ＰＵＣＣＨの送信時にのみＰＵＣＣＨを送信するＵＬ ＢＷＰが変更された場合、ＨＡＲＱ−ＡＣＫがドロップされることを意味する。その以外にＰＵＳＣＨピギーバックやＰＵＣＣＨに該当するＵＬ ＢＷＰが変更されない場合は、ＨＡＲＱ ＡＣＫ送信を期待する。またＢＷＰスイッチングに必要な遅延は隙間(ｇａｐ)と判断されて、隙間内でスケジュールされた下りリンク送信及び上りリンク送信はドロップされることができる。
【０１６５】
一方、ＤＬとＵＬではないＳＵＬのみをペアのスペクトルであると解釈すると、ＳＵＬにおいてＡ／Ｎが送信される場合を考えることができる。この場合、ＳＵＬのＢＷＰが変化したが、ＵＬにおいてＡ／ＮタイミングにＰＵＳＣＨが送信されてＵＣＩピギーバックしてＰＵＳＣＨが送信されると、これはＵＬにおいてＡ／Ｎ送信が可能であることを提案する。これはＳＵＬのＢＷＰが変化したが、ＵＬにおいてＡ／Ｎを送信する場合、ＳＵＬのＰＵＳＣＨタイミングがＡ／Ｎ送信タイミングと同一であり、ピギーバックされてＳＵＬにおいてＡ／ＮがピギーバックされたＰＵＳＣＨが送信される場合には、Ａ／Ｎの送信も許容する。
【０１６６】
さらに現在の３ＧＰＰでは、ＴＡ(ｔｉｍｉｎｇ ａｄｖａｎｃｅ)のオフセットが定義されている。図を参照しながら説明する。
【０１６７】
図１２は３ＧＰＰで定義している上りリンクフレームと下りリンクフレームの間のタイミングを示している。図１２を参照すると、ＴＡはＮTA値とＮTA,offset値の和であると定義している。
【０１６８】
ＮTA,offset値は周波数帯域ごとに定義されている。一般的にＴＤＤバンドでは、この値が基地局のＲＦでＵＬとＤＬの再チューニング時間(ｒｅｔｕｎｉｎｇ ｔｉｍｅ)のために使用され、ＦＤＤバンドでは、再チューニング時間なしにＲＦをＵＬとＤＬに各々分けて使用するため、この値を０に構成する。
【０１６９】
現在、ＮＲでは、バンドごとに以下の表４のようなＮTA,offset値を定義している。
【０１７０】
【表４】
2021503255.tif 000009
【０１７１】
但し、ＮＲ ＵＬがＴＤＤであり、ＬＴＥバンドがＦＤＤである場合、このＬＴＥバンドをＮＲのＳＵＬとして使用すると、ＳＵＬのＮTA,offsetをどのように定義するかが問題になる。ＮＲのＵＬのＮTA、offsetをＳＵＬのために使用する場合、ＮＲのＵＬとはタイミングが整合するが、ＬＴＥバンドにおいて他のＬＴＥ信号とはタイミングが合わない。ＬＴＥバンドのＮTA,offsetをＳＵＬのために使用する場合には、ＬＴＥバンドでは他のＬＴＥ信号とタイミングが合うが、ＮＲのＵＬとはタイミングが整合しない問題がある。
【０１７２】
ＮＲのＵＬとＳＵＬとの間のタイミング整合は、互いにバンドが異なるため重要な問題ではない。例えば、一つのＵＥの立場では、ＵＬとＳＵＬの間で厳しくスイッチングする場合にスイッチング区間でＵＬとＳＵＬの間にタイミングが合わないことで、一つのＯＦＤＭシンボル程度のリソースを使用できないこともあるが、半−静的にＵＬとＳＵＬをスイッチングする場合には、かかるスイッチング回数が相対的に少ないので、損害になるシンボル数が非常に少ない。かかる点では、ＳＵＬのＮTA,offset値をＬＴＥバンドのＮTA,offset値として使用することが好ましい。しかし、ＵＬとＳＵＬの間に動的スイッチングを行う場合には、スイッチング回数が頻繁であり、タイミング整合が必要がある。よって、基地局はＳＵＬについて、ＮTA,offset値がＵＬに従うか又はＳＵＬに従うかを設定することが好ましい。
【０１７３】
上述したように、現在ＳＵＬとＵＬではＰＵＳＣＨとＰＵＣＣＨが互いに異なる搬送波で同時送信されることができない。しかし、ＳＲＳは他の信号(ＳＲＳ、ＰＵＳＣＨ、ＰＵＣＣＨ、ＲＡＣＨ)と互いに異なる搬送波で同時送信することができる。例えば、ＳＲＳがＳＵＬで送信される時、ＰＵＳＣＨがＵＬで同時に送信されることができ、ＳＲＳがＳＵＬで送信される時、ＳＲＳがＵＬで送信されることができる。
【０１７４】
この場合、同時送信が設定又はスケジュールされる時、電力制限の状況が発生することができる。同時送信する信号の電力の和がＰc,maxを超えることができないためである。従って、設定又はスケジュールされた電力が同時に送信される信号の電力の和がＰc,maxを超える場合は、信号の電力を減らさなければならないという問題がある。以下、かかる問題を解決するための方案を提案する。
【０１７５】
第一に、ＳＵＬとＵＬにおいて一つの搬送波ではＳＲＳが送信され、残りの搬送波ではＳＲＳ／ＰＵＳＣＨ／ＰＵＣＣＨ／ＲＡＣＨのうちのいずれか一つの信号が同時送信される時、同時送信される信号の電力の和がＰｃ,ｍａｘを超える場合には、信号の電力を同じ比率で線形的に減らす方案である。これは２つの信号の間に優先順位がないと仮定した方案であり、最も容易に接近することができる。
【０１７６】
第二に、ＳＵＬとＵＬにおいて一つの搬送波ではＳＲＳが送信され、残りの搬送波ではＳＲＳ／ＰＵＳＣＨ／ＰＵＣＣＨ／ＲＡＣＨのうちのいずれか一つの信号が同時送信される時、同時送信される信号の電力の和がＰｃ,ｍａｘを超える場合には、ＳＵＬとＵＬのうち、ＲＲＣにより設定されたＰＵＣＣＨが送信されるＰＵＣＣＨ搬送波での送信の優先順位を高くし、ＰＵＣＣＨ搬送波ではない他の搬送波で送信される信号の優先順位を低くして、優先順位が低い信号の電力を下げて送信する方案である。これはＰＵＣＣＨ搬送波を主搬送波であると言えるので、この搬送波の品質に基づいて上りリンクのリソースを付与できるためである。又は、ＳＵＬとＵＬのうち、ＲＲＣにより設定されたＰＵＣＣＨが送信されるＰＵＣＣＨ搬送波での送信の優先順位を低くし、ＰＵＣＣＨ搬送波ではない他の搬送波で送信される信号の優先順位を高くして、優先順位が低い信号の電力を下げて送信することができる。これはＰＵＣＣＨ搬送波をスイッチングすることを念頭にして、ＰＵＣＣＨ搬送波ではない搬送波の品質をモニタリングする必要があり得るためである。
【０１７７】
但し、第二の方案は、動的ＰＵＳＣＨスイッチングではない場合のみに使用することができる。これはＰＵＳＣＨ搬送波が動的に変わる場合、二つの搬送波を全て使用していると仮定することができるため、ＳＵＬとＵＬがいずれも優先順位の指定に曖昧であるためである。
【０１７８】
第三には、ＳＵＬとＵＬにおいて一つの搬送波ではＳＲＳが送信され、残りの搬送波ではＳＲＳ／ＰＵＳＣＨ／ＰＵＣＣＨ／ＲＡＣＨのうちのいずれか一つの信号が同時送信される時、同時送信される信号の電力の和がＰｃ,ｍａｘを超える場合、非周期的信号の優先順位を高くし、周期的信号の優先順位を低くして、優先順位が低い信号の電力を下げて送信する方案である。
【０１７９】
第四には、ＳＵＬとＵＬにおいて一つの搬送波ではＳＲＳが送信され、残りの搬送波ではＳＲＳ／ＰＵＳＣＨ／ＰＵＣＣＨ／ＲＡＣＨのうちのいずれか一つの信号が同時送信される時、同時送信される信号の電力の和がＰｃ,ｍａｘを超える場合、二つの搬送波で送信される信号がいずれもＵＬ／ＤＬグラントによりスケジュールされると、先のグラント信号の優先順位を高くし、後のグラント信号の優先順位を低くして、優先順位が低い信号の電力を下げて送信する方案である。これは、先のグラント信号が予めプロセシングが進行中であるので、後のグラント信号のために電力を変更すると、処理時間が足りなくなるためである。
【０１８０】
電力を下げる信号は以下のうちの一つを考えることができる。
【０１８１】
−同時送信される区間が同時送信される信号の一部に該当する場合、電力は一部に該当する部分のみを減らすことができる。
【０１８２】
現在、ＳＲＳも同じスロット内で繰り返して送信することができ、ＰＵＳＣＨ／ＰＵＣＣＨは１スロット内での繰り返しではないが、１つ超えて送信されることができる。例えば、１スロットを送信する信号は上記信号と共に複数の時間区間にわたって同時送信が重なることができる。従って同時送信される信号は、重なる時間区間が連続しない状態で示されることができる。１搬送波の送信が他の搬送波の複数の信号の送信と複数回重畳する場合、各々の重なる区間のみで電力を減らすことができる。例えば、多数回のＳＲＳ送信が他の搬送波の一つの上りリンク送信と複数の区間で重なる場合、重なる区間のみで電力を減らすことができる。
【０１８３】
−同時送信される区間が同時送信される信号の一部に該当する場合、電力は送信される信号全体に対して電力を減らすことができる。これは、一部区間の電力のみを減らす場合、電力を減らした時間リソースの両端で送信される残りの信号の電力に対するランピング(ｒａｍｐｉｎｇ)が必要であり、この場合、電力ランピング区間では信号ひずみ(ｄｉｓｔｏｒｔｉｏｎ)が発生するためである。
【０１８４】
現在、ＳＲＳも同じスロット内で繰り返して送信されることができ、ＰＵＳＣＨ／ＰＵＣＣＨは１スロット内で繰り返しではないが、複数回送信されることができる。例えば、１スロットを送信する信号は上記信号と共に複数の区間にわたって同時送信が重なることができる。従って、同時送信される信号は重なる区間が連続しない状態で示されることができる。例えば、ＳＲＳの多重送信が他の搬送波の一つの上りリンク送信と複数の区間で重なる場合、ＳＲＳの電力を減らす時には全てのＳＲＳの電力を下げ、重なる他の搬送波の一つの上りリンク信号の電力を減らす時には上りリンク信号の全体電力を下げる。
【０１８５】
図１３は無線装置１０とネットワークノード２０の間の通信の一例を示すブロック図である。ここで、ネットワークノード２０は図１３の無線装置又はＵＥに代替することができる。
【０１８６】
この明細書において、無線装置１０又はネットワークノード２０は一つ以上の他の無線装置、ネットワークノード及び／又はネットワークの他の要素と通信するための送受信機(Ｔｒａｓｃｅｉｖｅｒ；１１，２１)を含む。送受信機１１，２１は一つ以上の送信機、一つ以上の受信機及び／又は一つ以上の通信インターフェースを含む。
【０１８７】
送受信機１１，２１は一つ以上のアンテナを備える。アンテナはプロセシングチップ１２、２２の制御下で、本発明の一実施例によって送受信機１１，２１により処理された信号を外部に送信するか、又は外部から無線信号を受信してプロセシングチップ１２、２２に伝達する機能を行う。アンテナはアンテナポートとも呼ばれる。各アンテナは一つの物理アンテナに該当するか、又は一つ以上の物理アンテナ要素の組み合わせによって構成される。各アンテナから送信された信号は、無線装置１０又はネットワークノード２０によりさらに分解されることはできない。該当アンテナに対応して送信された参照信号(ｒｅｆｅｒｅｎｃｅ ｓｉｇｎａｌ、ＲＳ)は、無線装置１０又はネットワークノード２０の観点からのアンテナを定義し、チャネルが１物理アンテナからの単一(ｓｉｎｇｌｅ)無線チャネルであるか、或いはアンテナを含む複数の物理アンテナ要素からの合成(ｃｏｍｐｏｓｉｔｅ)チャネルであるかに関係なく、無線装置１０又はネットワークノード２０をしてアンテナに対するチャネル推定を可能にする。即ち、アンテナは、アンテナ上のシンボルを伝達するチャネルが同じアンテナ上の他のシンボルが伝達されるチャネルから導き出されるように定義される。複数のアンテナを用いてデータを送受信する多重入出力(多重Ｉｎｐｕｔ多重Ｏｕｔｐｕｔ、ＭＩＭＯ)機能を支援する送受信機の場合、２つ以上のアンテナに連結されることができる。
【０１８８】
本発明において、送受信機１１，２１は受信ビーム形成と送信ビーム形成を支援する。例えば、本発明において、送受信機１１,２１は図７乃至図９に示された機能を行うように構成される。
【０１８９】
また無線装置１０又はネットワークノード２０はプロセシングチップ１２、２２を含む。プロセシングチップ１２、２２は、プロセッサ１３，２３のような少なくとも一つのプロセッサ及びメモリ１４，２４のような少なくとも一つのメモリ装置を含む。
【０１９０】
プロセシングチップ１２、２２は、この明細書に説明された方法及び／又はプロセスのうちのいずれか一つ以上を制御する。即ち、プロセシングチップ１２、２２は、この明細書に記載されたいずれか一つの実施例が行われるように構成される。
【０１９１】
プロセッサ１３，２３は、この明細書に説明された無線装置１０又はネットワークノード２０の機能を行うための少なくとも一つのプロセッサを含む。
【０１９２】
例えば、一つ以上のプロセッサは、図１３における一つ以上の送受信機１１，２１を制御して情報を送受信する。
【０１９３】
プロセシングチップ１２、２２に含まれたプロセッサ１３，２３は、無線装置１０又はネットワークノード２０の外部に送信される信号及び／又はデータについて、所定の符号化(ｃｏｄｉｎｇ)及び変調(ｍｏｄｕｌａｔｉｏｎ)を行った後、送受信機１１，２１に送信する。例えば、プロセッサ１３，２３は、送信しようとするデータ列を逆多重化、チャネル符号化、スクランブリング及び変調過程などによりＫ個のレイヤに変換する。符号化されたデータ列はコードワードとも呼ばれ、ＭＡＣ階層が適用するデータブロックである輸送ブロックと等価である。１輸送ブロック(ｔｒａｎｓｐｏｒｔ ｂｌｏｃｋ、ＴＢ)は１コードワードに符号化され、各コードワードは一つ以上のレイヤの形態で受信装置に送信される。周波数上り変換のために、送受信機１１，２１は発振器(ｏｓｃｉｌｌａｔｏｒ)を含む。送受信機１１，２１はＮｔ個(Ｎｔは１以上の正の整数)の送信アンテナを含む。
【０１９４】
プロセシングチップ１２、２２はデータ、プログラム可能なソフトウェアコード及び／又はこの明細書に説明された実施例を行うための他の情報を格納可能なメモリ１４，２４を含む。
【０１９５】
即ち、この明細書による実施例において、メモリ１４，２４はプロセッサ１３，２３のような少なくとも一つのプロセッサにより実行される時、プロセッサ１３，２３をして図１３のプロセッサ１３，２３により制御されるプロセスのうちの一部又は全部を行うようにするか、又はこの明細書に説明された実施例を行うための命令を含むソフトウェアコード１５，２５を格納する。
【０１９６】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１９７】
本文書で基地局によって行われるとした特定動作は、場合によってはその上位ノード(ｕｐｐｅｒ ｎｏｄｅ)によって行われることもある。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１９８】
本発明に係る実施例は、様々な手段、例えば、ハードウェア、ファームウェア(ｆｉｒｍｗａｒｅ)、ソフトウェア又はそれらの結合などによって具現することができる。ハードウェアによる具現では、本発明の一実施例は、一つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１９９】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０２００】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０２０１】
以上のような次世代通信システムにおいて多重搬送波支援のための制御チャネル送信方法及びそのための装置は、３ＧＰＰ ＬＴＥシステムに適用される例を中心として説明したが、３ＧＰＰ ＬＴＥシステム以外にも様々な無線通信システムに適用することができる。
【図１】
2021503255.tif 000010
【図２】
2021503255.tif 000011
【図３】
2021503255.tif 000012
【図４】
2021503255.tif 000013
【図５】
2021503255.tif 000014
【図６】
2021503255.tif 000015
【図７】
2021503255.tif 000016
【図８】
2021503255.tif 000017
【図９】
2021503255.tif 000018
【図１０】
2021503255.tif 000019
【図１１】
2021503255.tif 000020
【図１２】
2021503255.tif 000021
【図１３】
2021503255.tif 000022
【国際調査報告】
2021503255.tif 000023
2021503255.tif 000024
2021503255.tif 000025
2021503255.tif 000026